(57)【要約】【課題】空気に含まれる臭気成分やたばこ臭、ノネナール臭を取り除くことができ、扇風機から清浄な空気を送気することができる扇風機用脱臭具を提供する。【解決手段】扇風機用脱臭具１０Ａは、扇風機の羽根と羽根の後方に取り付けられた後方羽根ガードとの間に配置される脱臭リング１２と、脱臭リング１２の内周縁に沿って延びる環状の内側フレーム１３と、脱臭リング１２の外周縁に沿って延びる環状の外側フレーム１４とを備え、脱臭リング１２が、ハニカム形状に成形されて内側フレーム１３と外側フレーム１４との間において一連につながる複数の多孔質ハニカム枠１６と、ハニカム枠１６に囲繞された複数の通気孔１７とを有し、後方羽根ガードのガードバーに着脱可能に嵌合させる嵌合部１９が外側フレーム１４の後面１８に形成されている。【選択図】図１
2015019808.tif 000002
【特許請求の範囲】
【請求項１】
空気に含まれる臭気を吸着する脱臭リングから形成され、前記脱臭リングが、ハニカム形状に成形されて該脱臭リングの内周縁と外周縁との間において一連に並ぶ複数の多孔質ハニカム枠と、それらハニカム枠に囲繞されて該脱臭リングの内周縁と外周縁との間において一連に並ぶ複数の通気孔とを有し、前記後方羽根ガードのガードバーに着脱可能に嵌合させる嵌合部が、前記脱臭リングの外周縁に形成され、前記嵌合部を介して扇風機の羽根と前記羽根の後方に取り付けられた後方羽根ガードとの間に設置されることを特徴とする扇風機用脱臭具。
【請求項２】
前記扇風機用脱臭具では、前記脱臭リングがその外周縁から内周縁に向かって前後方向後方へ凸となり、前記羽根から次第に離間するように湾曲する前記後方羽根ガードのガードバーに前記外周縁の嵌合部を嵌合させたときに、前記脱臭リングのそれら多孔質ハニカム枠が前記後方羽根ガードのガードバーに沿って位置する請求項１に記載の扇風機用脱臭器具。
【請求項３】
前記扇風機用脱臭具では、前記脱臭リングのそれら多孔質ハニカム枠が該脱臭リングの内周縁から外周縁に向かって直状につながり、前記羽根に次第に近付くように湾曲する前記後方羽根ガードのガードバーに前記外周縁の嵌合部を嵌合させたときに、前記脱臭リングのそれら多孔質ハニカム枠が前記羽根の近くに位置する請求項１に記載の扇風機用脱臭器具。
【請求項４】
空気に含まれる臭気を吸着する脱臭リングから形成され、前記脱臭リングが、ハニカム形状に成形されて該脱臭リングの内周縁と外周縁との間において一連に並ぶ複数の多孔質ハニカム枠と、それらハニカム枠に囲繞されて該脱臭リングの内周縁と外周縁との間において一連に並ぶ複数の通気孔とを有し、前記後方羽根ガードのガードバーに着脱可能に嵌合させる嵌合部が、前記脱臭リングの内周縁に形成され、前記嵌合部を介して扇風機の羽根の後方に取り付けられた後方羽根ガードの直後に設置されることを特徴とする扇風機用脱臭具。
【請求項５】
前記扇風機用脱臭具では、前記脱臭リングがその外周縁から内周縁に向かって前後方向後方へ凸となり、前記羽根から次第に離間するように湾曲する前記後方羽根ガードのガードバーに前記内周縁の嵌合部を嵌合させたときに、前記脱臭リングのそれら多孔質ハニカム枠が前記後方羽根ガードのガードバーに沿って位置する請求項４に記載の扇風機用脱臭具。
【請求項６】
前記扇風機用脱臭具では、前記脱臭リングのそれら多孔質ハニカム枠が該脱臭リングの内周縁から外周縁に向かって直状につながり、前記内周縁の嵌合部を前記後方羽根ガードのガードバーに嵌合させたときに、前記外周縁の側に位置するそれら多孔質ハニカム枠が前記羽根に次第に近付くように湾曲する前記後方羽根ガードのガードバーから後方へ離間する請求項４に記載の扇風機用脱臭具。
【請求項７】
前記多孔質ハニカム枠の一辺の長さが、１〜５ｍｍの範囲にあり、前記ハニカム枠に囲繞された通気孔の面積が、４．４９９〜１１２．４９ｍｍ２の範囲にある請求項１ないし請求項６いずれかに記載の扇風機用脱臭具。
【請求項８】
前記多孔質ハニカム枠の前後方向の厚み寸法が、１〜５ｍｍの範囲にある請求項１ないし請求項７いずれかに記載の扇風機用脱臭具。
【請求項９】
前記脱臭リングが、前記内周縁の側に位置する内側脱臭リングと、前記外周縁の側に位置する外側脱臭リングとから形成され、前記扇風機用脱臭具では、前記外側脱臭リングの各多孔質ハニカム枠の大きさが前記内側脱臭リングの各多孔質ハニカム枠のそれよりも大きく、前記外側脱臭リングのハニカム枠に囲繞された通気孔の面積が前記内側脱臭リングのハニカム枠に囲繞された通気孔の面積よりも大きい請求項１ないし請求項８いずれかに記載の扇風機用脱臭具。
【請求項１０】
前記内側脱臭リングの多孔質ハニカム枠の一辺の長さが、１〜２．５ｍｍの範囲、前記内側脱臭リングのハニカム枠に囲繞された通気孔の面積が、４．４９９〜２８．１２ｍｍ２の範囲にあり、前記外側脱臭リングの多孔質ハニカム枠の一辺の長さが、２〜５ｍｍの範囲、前記外側脱臭リングのハニカム枠に囲繞された通気孔の面積が、１７．９９〜１１２．４９ｍｍ２の範囲にある請求項９に記載の扇風機用脱臭具。
【請求項１１】
前記外側脱臭リングの多孔質ハニカム枠の前後方向の厚み寸法が、前記内側脱臭リングの多孔質ハニカム枠の前後方向の厚み寸法よりも大きく、前記外側脱臭リングの多孔質ハニカム枠の前後方向の厚み寸法が、３〜５ｍｍの範囲にあり、前記内側脱臭リングの多孔質ハニカム枠の前後方向の厚み寸法が、１〜３ｍｍの範囲にある請求項９または請求項１０に記載の扇風機用脱臭具。
【請求項１２】
前記脱臭リングが、前記内周縁の側に位置する内側脱臭リングと、前記外周縁の側に位置する外側脱臭リングとから形成され、前記扇風機用脱臭具では、前記内側脱臭リングの各多孔質ハニカム枠の大きさが前記外側脱臭リングの各多孔質ハニカム枠のそれよりも大きく、前記内側脱臭リングのハニカム枠に囲繞された通気孔の面積が前記外側脱臭リングのハニカム枠に囲繞された通気孔の面積よりも大きい請求項１ないし請求項８いずれかに記載の扇風機用脱臭具。
【請求項１３】
前記内側脱臭リングの多孔質ハニカム枠の一辺の長さが、２〜５ｍｍの範囲、前記内側脱臭リングのハニカム枠に囲繞された通気孔の面積が、１７．９９〜１１２．４９ｍｍ２の範囲にあり、前記外側脱臭リングの多孔質ハニカム枠の一辺の長さが、１〜２．５ｍｍの範囲、前記外側脱臭リングのハニカム枠に囲繞された通気孔の面積が、４．４９９〜２８．１２ｍｍ２の範囲にある請求項１２に記載の扇風機用脱臭具。
【請求項１４】
前記内側脱臭リングの多孔質ハニカム枠の前後方向の厚み寸法が、前記外側脱臭リングの多孔質ハニカム枠の前後方向の厚み寸法よりも大きく、前記内側脱臭リングの多孔質ハニカム枠の前後方向の厚み寸法が、３〜５ｍｍの範囲にあり、前記外側脱臭リングの多孔質ハニカム枠の前後方向の厚み寸法が、１〜３ｍｍの範囲にある請求項１２または請求項１３に記載の扇風機用脱臭具。
【請求項１５】
前記脱臭リングが、溶融させた熱可塑性合成樹脂と臭気成分を吸着する活性炭粉末とを混合した混合物を所定の型に流し込むことから作られている請求項１ないし請求項１４いずれかに記載の扇風機用脱臭具。
【請求項１６】
前記脱臭リングの多孔質ハニカム枠には、臭気成分を酸化分解する脱臭触媒が担持されている請求項１ないし請求項１５いずれかに記載の扇風機用脱臭具。
【発明の詳細な説明】
【技術分野】
【０００１】
本発明は、扇風機に使用され、空気に含まれる臭気を取り除く扇風機用脱臭具に関する。
【背景技術】
【０００２】
扇風機の回転羽根をガードする後方羽根ガードの背面を外方から被覆可能な環状のフィルタ材と、そのフィルタ材を展開状態で保持する環状の枠形状を有したフレームと、そのフレームを羽根ガードに係止する係止部材とを備え、フィルタ材が周方向に向かって複数の部分フィルタ材に分割され、フレームが周方向に向かって複数の部分フレームに分割された扇風機用フィルタが開示されている（特許文献１参照）。この扇風機用フィルタは、扇風機に容易に着脱することができ、フィルタのうちの破損した部分フィルタ材や汚れた部分フィルタ材のみを交換することができる。
【先行技術文献】
【特許文献】
【０００３】
【特許文献１】特開２００５−２４０６９７号公報
【発明の概要】
【発明が解決しようとする課題】
【０００４】
前記特許文献１に開示の扇風機用フィルタは、扇風機を通過する空気に含まれる塵埃を取り除くことはできるが、空気に含まれる臭気成分やたばこ臭、ノネナール臭を取り除くことはできない。なお、空気に含まれる臭気成分には、アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトンが含まれる。臭気には、たばこ臭やノネナール臭も含まれる。
【０００５】
本発明の目的は、扇風機を利用して空気に含まれる臭気成分やたばこ臭、ノネナール臭を取り除くことができ、清浄な空気を送気することができる扇風機用脱臭具を提供することにある。
【課題を解決するための手段】
【０００６】
前記課題を解決するための本発明にかかる扇風機用脱臭具の第１の特徴は、空気に含まれる臭気を吸着する脱臭リングから形成され、脱臭リングが、ハニカム形状に成形されて該脱臭リングの内周縁と外周縁との間において一連に並ぶ複数の多孔質ハニカム枠と、それらハニカム枠に囲繞されて該脱臭リングの内周縁と外周縁との間において一連に並ぶ複数の通気孔とを有し、後方羽根ガードのガードバーに着脱可能に嵌合させる嵌合部が脱臭リングの外周縁に形成され、嵌合部を介して扇風機の羽根と羽根の後方に取り付けられた後方羽根ガードとの間に設置されることにある。
【０００７】
前記第１の特徴を有する扇風機用脱臭具の一例として、扇風機用脱臭具では、脱臭リングがその外周縁から内周縁に向かって前後方向後方へ凸となり、扇風機の羽根から次第に離間するように湾曲する後方羽根ガードのガードバーに外周縁の嵌合部を嵌合させたときに、脱臭リングのそれら多孔質ハニカム枠が後方羽根ガードのガードバーに沿って位置する。
【０００８】
前記第１の特徴を有する扇風機用脱臭具の他の一例として、扇風機用脱臭具では、脱臭リングのそれら多孔質ハニカム枠が該脱臭リングの内周縁から外周縁に向かって直状につながり、扇風機の羽根に次第に近付くように湾曲する後方羽根ガードのガードバーに外周縁の嵌合部を嵌合させたときに、脱臭リングのそれら多孔質ハニカム枠が扇風機の羽根の近くに位置する。
【０００９】
前記課題を解決するための本発明にかかる扇風機用脱臭具の第２の特徴は、空気に含まれる臭気を吸着する脱臭リングから形成され、脱臭リングが、ハニカム形状に成形されて該脱臭リングの内周縁と外周縁との間において一連に並ぶ複数の多孔質ハニカム枠と、それらハニカム枠に囲繞されて該脱臭リングの内周縁と外周縁との間において一連に並ぶ複数の通気孔とを有し、後方羽根ガードのガードバーに着脱可能に嵌合させる嵌合部が脱臭リングの内周縁に形成され、嵌合部を介して扇風機の羽根の後方に取り付けられた後方羽根ガードの直後に設置されることにある。
【００１０】
前記第２の特徴を有する扇風機用脱臭具の一例として、扇風機用脱臭具では、脱臭リングがその外周縁から内周縁に向かって前後方向後方へ凸となり、扇風機の羽根から次第に離間するように湾曲する後方羽根ガードのガードバーに内周縁の嵌合部を嵌合させたときに、脱臭リングのそれら多孔質ハニカム枠が後方羽根ガードのガードバーに沿って位置する。
【００１１】
前記第２の特徴を有する扇風機用脱臭具の他の一例として、扇風機用脱臭具では、脱臭リングのそれら多孔質ハニカム枠が該脱臭リングの内周縁から外周縁に向かって直状につながり、内周縁の嵌合部を後方羽根ガードのガードバーに嵌合させたときに、外周縁の側に位置するそれら多孔質ハニカム枠が扇風機の羽根に次第に近付くように湾曲する後方羽根ガードのガードバーから後方へ離間する。
【００１２】
前記第１および第２の特徴を有する扇風機用脱臭具の一例としては、多孔質ハニカム枠の一辺の長さが１〜５ｍｍの範囲にあり、ハニカム枠に囲繞された通気孔の面積が４．４９９〜１１２．４９ｍｍ２の範囲にある。
【００１３】
前記第１および第２の特徴を有する扇風機用脱臭具の他の一例としては、多孔質ハニカム枠の前後方向の厚み寸法が１〜５ｍｍの範囲にある。
【００１４】
前記第１および第２の特徴を有する扇風機用脱臭具の他の一例としては、脱臭リングが、内周縁の側に位置する内側脱臭リングと、外周縁の側に位置する外側脱臭リングとから形成され、扇風機用脱臭具では、外側脱臭リングの各多孔質ハニカム枠の大きさが内側脱臭リングの各多孔質ハニカム枠のそれよりも大きく、外側脱臭リングのハニカム枠に囲繞された通気孔の面積が内側脱臭リングのハニカム枠に囲繞された通気孔の面積よりも大きい。
【００１５】
前記第１および第２の特徴を有する扇風機用脱臭具の他の一例としては、内側脱臭リングの多孔質ハニカム枠の一辺の長さが１〜２．５ｍｍの範囲、内側脱臭リングのハニカム枠に囲繞された通気孔の面積が４．４９９〜２８．１２ｍｍ２の範囲にあり、外側脱臭リングの多孔質ハニカム枠の一辺の長さが２〜５ｍｍの範囲、外側脱臭リングのハニカム枠に囲繞された通気孔の面積が１７．９９〜１１２．４９ｍｍ２の範囲にある。
【００１６】
前記第１および第２の特徴を有する扇風機用脱臭具の他の一例としては、外側脱臭リングの多孔質ハニカム枠の前後方向の厚み寸法が内側脱臭リングの多孔質ハニカム枠の前後方向の厚み寸法よりも大きく、外側脱臭リングの多孔質ハニカム枠の前後方向の厚み寸法が３〜５ｍｍの範囲にあり、内側脱臭リングの多孔質ハニカム枠の前後方向の厚み寸法が１〜３ｍｍの範囲にある。
【００１７】
前記第１および第２の特徴を有する扇風機用脱臭具の他の一例としては、脱臭リングが、内周縁の側に位置する内側脱臭リングと、外周縁の側に位置する外側脱臭リングとから形成され、扇風機用脱臭具では、内側脱臭リングの各多孔質ハニカム枠の大きさが外側脱臭リングの各多孔質ハニカム枠のそれよりも大きく、内側脱臭リングのハニカム枠に囲繞された通気孔の面積が外側脱臭リングのハニカム枠に囲繞された通気孔の面積よりも大きい。
【００１８】
前記第１および第２の特徴を有する扇風機用脱臭具の他の一例としては、内側脱臭リングの多孔質ハニカム枠の一辺の長さが２〜５ｍｍの範囲、内側脱臭リングのハニカム枠に囲繞された通気孔の面積が１７．９９〜１１２．４９ｍｍ２の範囲にあり、外側脱臭リングの多孔質ハニカム枠の一辺の長さが１〜２．５ｍｍの範囲、外側脱臭リングのハニカム枠に囲繞された通気孔の面積が４．４９９〜２８．１２ｍｍ２の範囲にある。
【００１９】
前記第１および第２の特徴を有する扇風機用脱臭具の他の一例としては、内側脱臭リングの多孔質ハニカム枠の前後方向の厚み寸法が外側脱臭リングの多孔質ハニカム枠の前後方向の厚み寸法よりも大きく、内側脱臭リングの多孔質ハニカム枠の前後方向の厚み寸法が３〜５ｍｍの範囲にあり、外側脱臭リングの多孔質ハニカム枠の前後方向の厚み寸法が１〜３ｍｍの範囲にある。
【００２０】
前記第１および第２の特徴を有する扇風機用脱臭具の他の一例としては、脱臭リングが溶融させた熱可塑性合成樹脂と臭気成分を吸着する活性炭粉末とを混合した混合物を所定の型に流し込むことから作られている。
【００２１】
前記第１および第２の特徴を有する扇風機用脱臭具の他の一例として、脱臭リングの多孔質ハニカム枠には、臭気成分を酸化分解する脱臭触媒が担持されている。
【発明の効果】
【００２２】
第１の特徴を有する扇風機用脱臭具によれば、扇風機の羽根が回転すると、後方羽根ガードから扇風機に進入した空気が脱臭リングの通気孔を通って扇風機の前方へ送風されるが、空気が脱臭リングを通過するときに、空気が脱臭リングの各多孔質ハニカム枠に接触するから、空気に含まれる臭気成分やたばこ臭、ノネナール臭をそれら多孔質ハニカム枠に吸着させることができ、空気に含まれる臭気成分やたばこ臭、ノネナール臭を脱臭リングにおいて確実に取り除くことができる。扇風機用脱臭具は、脱臭リングによって空気に含まれる臭気成分やたばこ臭、ノネナール臭を除去することができるから、扇風機を利用して清浄な空気を作ることができ、扇風機による送風と同時に清浄な空気を扇風機の前方へ送気することができる。
【００２３】
脱臭リングがその外周縁から内周縁に向かって前後方向後方へ凸となり、羽根から次第に離間するように湾曲する後方羽根ガードのガードバーに外周縁の嵌合部を嵌合させたときに、脱臭リングのそれら多孔質ハニカム枠が後方羽根ガードのガードバーに沿って位置する扇風機用脱臭器具は、脱臭リングのそれら多孔質ハニカム枠が後方羽根ガードのガードバーに並行するから、後方羽根ガードから扇風機に進入した空気が脱臭リングの全域を満遍なく通過し、空気が脱臭リングの全域の多孔質ハニカム枠に接触し、空気に含まれる臭気成分やたばこ臭、ノネナール臭を脱臭リングの全域のそれら多孔質ハニカム枠に吸着させることができ、空気に含まれる臭気成分やたばこ臭、ノネナール臭を脱臭リングにおいて確実に取り除くことができる。扇風機用脱臭具は、空気に含まれる臭気成分やたばこ臭、ノネナール臭をそれら多孔質ハニカム枠に吸着させることができ、脱臭リングによって臭気成分やたばこ臭、ノネナール臭を取り除いた多量の空気を作ることができる。
【００２４】
脱臭リングのそれら多孔質ハニカム枠が脱臭リングの内周縁から外周縁に向かって直状につながり、羽根に次第に近付くように湾曲する後方羽根ガードのガードバーに外周縁の嵌合部を嵌合させたときに、脱臭リングのそれら多孔質ハニカム枠が羽根の近くに位置する扇風機用脱臭器具は、脱臭リングのそれら多孔質ハニカム枠を羽根の近くに位置させると、羽根の近傍において強くなる空気の流れによって多量の空気が脱臭リングを通過し、それによって多量の空気を脱臭リングの各多孔質ハニカム枠に接触させることができる。扇風機用脱臭具は、空気に含まれる臭気成分やたばこ臭、ノネナール臭をそれら多孔質ハニカム枠に吸着させることができ、脱臭リングによって臭気成分やたばこ臭、ノネナール臭を取り除いた多量の空気を作ることができる。
【００２５】
第２の特徴を有する扇風機用脱臭具によれば、扇風機の羽根が回転すると、空気が脱臭リングの通気孔を通って後方羽根ガードから扇風機に進入し、扇風機の前方へ送風されるが、空気が脱臭リングを通過するときに、空気が脱臭リングの各多孔質ハニカム枠に接触するから、空気に含まれる臭気成分やたばこ臭、ノネナール臭をそれら多孔質ハニカム枠に吸着させることができ、空気に含まれる臭気成分やたばこ臭、ノネナール臭を脱臭リングにおいて確実に取り除くことができる。扇風機用脱臭具は、脱臭リングによって空気に含まれる臭気成分やたばこ臭、ノネナール臭を除去することができるから、扇風機を利用して清浄な空気を作ることができ、扇風機による送風と同時に清浄な空気を扇風機の前方へ送気することができる。
【００２６】
脱臭リングがその外周縁から内周縁に向かって前後方向後方へ凸となり、羽根から次第に離間するように湾曲する後方羽根ガードのガードバーに内周縁の嵌合部を嵌合させたときに、脱臭リングのそれら多孔質ハニカム枠が後方羽根ガードのガードバーに沿って位置する扇風機用脱臭具は、脱臭リングのそれら多孔質ハニカム枠が後方羽根ガードのガードバーに並行するから、空気が脱臭リングの全域を満遍なく通過し、空気が脱臭リングの全域の多孔質ハニカム枠に接触し、空気に含まれる臭気成分やたばこ臭、ノネナール臭を脱臭リングの全域のそれらハニカム枠に吸着させることができ、空気に含まれる臭気成分やたばこ臭、ノネナール臭を脱臭リングにおいて確実に取り除くことができる。扇風機用脱臭具は、空気に含まれる臭気成分やたばこ臭、ノネナール臭をそれらハニカム枠に吸着させることができ、脱臭リングによって臭気成分やたばこ臭、ノネナール臭を取り除いた多量の空気を作ることができる。
【００２７】
脱臭リングのそれら多孔質ハニカム枠が脱臭リングの内周縁から外周縁に向かって直状につながり、内周縁の嵌合部を後方羽根ガードのガードバーに嵌合させたときに、外周縁の側に位置するそれら多孔質ハニカム枠が羽根に次第に近付くように湾曲する後方羽根ガードのガードバーから後方へ離間する扇風機用脱臭具は、それら多孔質ハニカム枠を後方羽根ガードのガードバーから後方へ離間させると、羽根から離間するにつれて弱くなる空気流によって遅い流速の空気が脱臭リングを通過するから、流速の早い空気が脱臭リングを通過する場合と比較し、空気を脱臭リングの各多孔質ハニカム枠に長時間接触させることができる。扇風機用脱臭具は、空気に含まれる臭気成分やたばこ臭、ノネナール臭をそれら多孔質ハニカム枠に吸着させることができ、脱臭リングによって臭気成分やたばこ臭、ノネナール臭を取り除いた空気を作ることができる。
【００２８】
多孔質ハニカム枠の一辺の長さが１〜５ｍｍの範囲にあり、ハニカム枠に囲繞された通気孔の面積が４．４９９〜１１２．４９ｍｍ２の範囲にある扇風機用脱臭具は、多孔質ハニカム枠の一辺の長さを前記範囲にすることで、脱臭リングに多数のハニカム枠が作られるから、空気を多数のそれらハニカム枠に接触させて空気に含まれる臭気成分やたばこ臭、ノネナール臭をそれらハニカム枠に吸着させることができ、空気に含まれる臭気成分やたばこ臭、ノネナール臭を脱臭リングにおいて確実に取り除くことができる。扇風機用脱臭具は、脱臭リングの多数の多孔質ハニカム枠によって空気に含まれる臭気成分やたばこ臭、ノネナール臭を確実に除去することができるから、扇風機を利用して清浄な空気を作ることができ、扇風機による送風と同時に清浄な空気を扇風機の前方へ送気することができる。
【００２９】
多孔質ハニカム枠の前後方向の厚み寸法が１〜５ｍｍの範囲にある扇風機用脱臭具は、多孔質ハニカム枠の厚み寸法を前記範囲にすることで、ハニカム枠の比表面積を大きくすることができ、脱臭リングの脱臭機能を向上させることができる。扇風機用脱臭具は、空気を比表面積の大きい多孔質ハニカム枠に接触させることで、ハニカム枠に多くの臭気成分やたばこ臭、ノネナール臭を吸着させることができ、空気に含まれる臭気成分やたばこ臭、ノネナール臭を脱臭リングにおいて確実に取り除くことができる。
【００３０】
脱臭リングがその内周縁の側に位置する内側脱臭リングとその外周縁の側に位置する外側脱臭リングとから形成され、外側脱臭リングの各多孔質ハニカム枠の大きさが内側脱臭リングの各多孔質ハニカム枠のそれよりも大きく、外側脱臭リングのハニカム枠に囲繞された通気孔の面積が内側脱臭リングのハニカム枠に囲繞された通気孔の面積よりも大きい扇風機用脱臭具は、扇風機の羽根の中心域よりも羽根の外周域での空気の流れが強くなるが、外側脱臭リングの各ハニカム枠の大きさを内側脱臭リングの各ハニカム枠のそれよりも大きくすることで、外側脱臭リングが扇風機に進入する空気の障害になることはなく、扇風機に空気をスムーズに流入させることができ、それら脱臭リングによって臭気成分やたばこ臭、ノネナール臭が除去された清浄な空気を円滑に送風することができる。扇風機用脱臭具は、外側脱臭リングの各多孔質ハニカム枠に空気を接触させることで、空気に含まれる臭気成分やたばこ臭、ノネナール臭を取り除くことができる他、各多孔質ハニカム枠の大きさが外側脱臭リングのそれよりも小さい内側脱臭リングにおいてハニカム枠が密に形成されることで、内側脱臭リングに多くの臭気成分やたばこ臭、ノネナール臭を吸着させることができ、空気に含まれる臭気成分やたばこ臭、ノネナール臭を脱臭リングにおいて確実に取り除くことができる。
【００３１】
内側脱臭リングの多孔質ハニカム枠の一辺の長さが１〜２．５ｍｍの範囲、内側脱臭リングのハニカム枠に囲繞された通気孔の面積が４．４９９〜２８．１２ｍｍ２の範囲にあり、外側脱臭リングの多孔質ハニカム枠の一辺の長さが２〜５ｍｍの範囲、外側脱臭リングのハニカム枠に囲繞された通気孔の面積が１７．９９〜１１２．４９ｍｍ２の範囲にある扇風機用脱臭具は、扇風機の羽根の中心域よりも外周域での空気の流れが強くなるが、多孔質ハニカム枠の一辺の長さや通気孔の面積を前記範囲にすることで、外側脱臭リングの各多孔質ハニカム枠の大きさが内側脱臭リングの各多孔質ハニカム枠のそれよりも大きくなり、外側脱臭リングが扇風機に進入する空気の障害になることはなく、扇風機に空気をスムーズに流入させることができ、扇風機から清浄な空気を送風することができる。扇風機用脱臭具は、外側脱臭リングの各多孔質ハニカム枠に空気を接触させることで、空気に含まれる臭気成分やたばこ臭、ノネナール臭を取り除くことができる他、各多孔質ハニカム枠の大きさが外側脱臭リングのそれよりも小さい内側脱臭リングにおいてハニカム枠が密に形成されることで、内側脱臭リングに多くの臭気成分やたばこ臭、ノネナール臭を吸着させることができ、空気に含まれる臭気成分やたばこ臭、ノネナール臭を脱臭リングにおいて確実に取り除くことができる。
【００３２】
外側脱臭リングの多孔質ハニカム枠の前後方向の厚み寸法が内側脱臭リングの多孔質ハニカム枠の前後方向の厚み寸法よりも大きく、外側脱臭リングの多孔質ハニカム枠の前後方向の厚み寸法が３〜５ｍｍの範囲にあり、内側脱臭リングの多孔質ハニカム枠の前後方向の厚み寸法が１〜３ｍｍの範囲にある扇風機用脱臭具は、外側脱臭リングの各多孔質ハニカム枠の大きさが内側脱臭リングの各多孔質ハニカム枠のそれよりも大きいが、外側脱臭リングのハニカム枠の厚み寸法を内側脱臭リングのハニカム枠のそれよりも大きくすることで、外側脱臭リングのハニカム枠の比表面積を大きくすることができ、外側脱臭リングの脱臭機能を向上させることができる。扇風機用脱臭具は、厚み寸法が大きい外側脱臭リングの多孔質ハニカム枠や大きさが小さい内側脱臭リングの多孔質ハニカム枠に空気を接触させることで、各ハニカム枠に多くの臭気成分やたばこ臭、ノネナール臭を吸着させることができ、空気に含まれる臭気成分やたばこ臭、ノネナール臭を脱臭リングにおいて確実に取り除くことができる。
【００３３】
脱臭リングがその内周縁の側に位置する内側脱臭リングとその外周縁の側に位置する外側脱臭リングとから形成され、内側脱臭リングの各多孔質ハニカム枠の大きさが外側脱臭リングの各多孔質ハニカム枠のそれよりも大きく、内側脱臭リングのハニカム枠に囲繞された通気孔の面積が外側脱臭リングのハニカム枠に囲繞された通気孔の面積よりも大きい扇風機用脱臭具は、外側脱臭リングの各多孔質ハニカム枠の大きさを内側脱臭リングの各多孔質ハニカム枠のそれよりも小さくすることで、ハニカム枠を外側脱臭リングに密に形成することができ、外側脱臭リングの脱臭機能を向上させることができる。扇風機用脱臭具は、内側脱臭リングに臭気成分やたばこ臭、ノネナール臭を吸着させることができる他、扇風機の羽根の外周域における強い空気の流れによって多量の空気が外側脱臭リングを通過することで、多孔質ハニカム枠が密に形成された外側脱臭リングに多くの臭気成分やたばこ臭、ノネナール臭を吸着させることができ、空気に含まれる臭気成分やたばこ臭、ノネナール臭を脱臭リングにおいて確実に取り除くことができる。
【００３４】
内側脱臭リングの多孔質ハニカム枠の一辺の長さが２〜５ｍｍの範囲、内側脱臭リングのハニカム枠に囲繞された通気孔の面積が１７．９９〜１１２．４９ｍｍ２の範囲にあり、外側脱臭リングの多孔質ハニカム枠の一辺の長さが１〜２．５ｍｍの範囲、外側脱臭リングのハニカム枠に囲繞された通気孔の面積が４．４９９〜２８．１２ｍｍ２の範囲にある扇風機用脱臭具は、多孔質ハニカム枠の一辺の長さや通気孔の面積を前記範囲にすることで、外側脱臭リングの各多孔質ハニカム枠の大きさが内側脱臭リングの各多孔質ハニカム枠のそれよりも小さくなり、ハニカム枠を外側脱臭リングに密に形成することができ、外側脱臭リングの脱臭機能を向上させることができる。扇風機用脱臭具は、内側脱臭リングに臭気成分やたばこ臭、ノネナール臭を吸着させることができる他、扇風機の羽根の外周域における強い空気の流れによって多量の空気が外側脱臭リングを通過することで、多孔質ハニカム枠が密に形成された外側脱臭リングに多くの臭気成分やたばこ臭、ノネナール臭を吸着させることができ、空気に含まれる臭気成分やたばこ臭、ノネナール臭を脱臭リングにおいて確実に取り除くことができる。
【００３５】
内側脱臭リングの多孔質ハニカム枠の前後方向の厚み寸法が外側脱臭リングの多孔質ハニカム枠の前後方向の厚み寸法よりも大きく、内側脱臭リングの多孔質ハニカム枠の前後方向の厚み寸法が３〜５ｍｍの範囲にあり、外側脱臭リングの多孔質ハニカム枠の前後方向の厚み寸法が１〜３ｍｍの範囲にある扇風機用脱臭具は、内側脱臭リングの各多孔質ハニカム枠の大きさが外側脱臭リングの各多孔質ハニカム枠のそれよりも大きいが、内側脱臭リングのハニカム枠の厚み寸法を外側脱臭リングのハニカム枠のそれよりも大きくすることで、内側脱臭リングのハニカム枠の比表面積を大きくすることができ、内側脱臭リングの脱臭機能を向上させることができる。扇風機用脱臭具は、厚み寸法が大きい内側脱臭リングの多孔質ハニカム枠や大きさが小さい外側脱臭リングの多孔質ハニカム枠に空気を接触させることで、各ハニカム枠に多くの臭気成分やたばこ臭、ノネナール臭を吸着させることができ、空気に含まれる臭気成分やたばこ臭、ノネナール臭を脱臭リングにおいて確実に取り除くことができる。
【００３６】
脱臭リングが溶融させた熱可塑性合成樹脂と臭気成分を吸着する活性炭粉末とを混合した混合物を所定の型に流し込むことから作られている扇風機用脱臭具は、活性炭粉末を主成分として脱臭リングが作られるから、その活性炭を含む多孔質ハニカム枠に多くの臭気成分やたばこ臭、ノネナール臭を吸着させることができ、空気に含まれる臭気成分やたばこ臭、ノネナール臭を脱臭リングにおいて確実に取り除くことができる。
【００３７】
臭気成分を酸化分解する脱臭触媒が脱臭リングの多孔質ハニカム枠に担持されている扇風機用脱臭具は、多孔質ハニカム枠に担持された脱臭触媒によって扇風機から送風される空気に含まれる臭気成分やたばこ臭、ノネナール臭が酸化分解されるから、空気に含まれる臭気成分やたばこ臭、ノネナール臭を脱臭リングに吸着させることができるのみならず、臭気成分やたばこ臭、ノネナール臭を酸化分解して無臭にすることができ、空気に含まれる臭気成分やたばこ臭、ノネナール臭を脱臭リングにおいて確実に取り除くことができる。
【図面の簡単な説明】
【００３８】
【図１】一例として示す扇風機用脱臭具の正面図。
【図２】扇風機用脱臭具の背面図。
【図３】扇風機用脱臭具の部分拡大平面図。
【図４】扇風機用脱臭具の部分拡大斜視図。
【図５】扇風機用脱臭具を設置した扇風機の正面図。
【図６】扇風機用脱臭具を設置した扇風機の背面斜視図。
【図７】扇風機用脱臭具を設置した扇風機の側面図。
【図８】嵌合部の拡大斜視図。
【図９】図１の脱臭具を扇風機に取り付ける手順を説明する図。
【図１０】他の一例として示す扇風機用脱臭具の正面図。
【図１１】図１０の扇風機用脱臭具の背面図。
【図１２】図１０の扇風機用脱臭具の部分拡大斜視図。
【図１３】図１０の扇風機用脱臭具を設置した扇風機の正面図。
【図１４】図１０の扇風機用脱臭具を設置した扇風機の背面斜視図。
【図１５】他の一例として示す扇風機用脱臭具の正面図。
【図１６】図１５の扇風機用脱臭具の背面図。
【図１７】図１５の扇風機用脱臭具を設置した扇風機の背面斜視図。
【図１８】図１５の扇風機用脱臭具を設置した扇風機の側面図。
【図１９】図１５の脱臭具を扇風機に取り付ける手順を説明する図。
【図２０】他の一例として示す扇風機用脱臭具の正面図。
【図２１】図２０の扇風機用脱臭具の背面図。
【図２２】図２０の扇風機用脱臭具の部分拡大平面図。
【図２３】図２０の扇風機用脱臭具を設置した扇風機の正面図。
【図２４】図２０の扇風機用脱臭具を設置した扇風機の背面斜視図。
【図２５】他の一例として示す扇風機用脱臭具の斜視図。
【図２６】図２５の扇風機用脱臭具を設置した扇風機の側面図。
【図２７】他の一例として示す扇風機用脱臭具の斜視図。
【図２８】図２７の扇風機用脱臭具を設置した扇風機の側面図。
【発明を実施するための形態】
【００３９】
一例として示す扇風機用脱臭具１０Ａの正面図である図１等の添付の図面を参照し、本発明にかかる扇風機用脱臭具の詳細を説明すると、以下のとおりである。なお、図２は、扇風機用脱臭具１０Ａの背面図であり、図３は、扇風機用脱臭具１０Ａの部分拡大平面図である。図４は、扇風機用脱臭具１０Ａの部分拡大斜視図であり、図５は、扇風機用脱臭具１０Ａを設置した扇風機１１の正面図である。図６は、扇風機用脱臭具１０Ａを設置した扇風機１１の背面斜視図であり、図７は、扇風機用脱臭具１０Ａを設置した扇風機１１の側面図である。図８は、嵌合部１９の拡大斜視図である。
【００４０】
扇風機用脱臭具１０Ａは、扇風機１１の後方羽根ガード２４のガードバー２８（後方羽根ガード２４の直前）に着脱可能に取り付けられ、扇風機１１を通過する空気に含まれる臭気の除去に使用される。扇風機用脱臭具１０Ａは、脱臭リング１２と、環状の内側フレーム１３および環状の外側フレーム１４とを備え、扇風機１１の後方羽根ガード２４の円形の中央開口２７よりも大きい円形の中央開口１５を有する。脱臭リング１２は、活性炭粉末と熱可塑性合成樹脂（バインダー）とから作られている。脱臭リング１２は、加熱溶融させた熱可塑性合成樹脂に活性炭粉末を混合して混合物を作った後、その混合物を所定の金型（型）に流し込み、樹脂を固化させることから作られている。
【００４１】
活性炭粉末は、約３００〜５０００ｍ2／ｇの比表面積を有し、高い臭気吸着機能（ヨウ素やセシウム等の放射性物質吸着機能を含む）を有する。活性炭粉末は、活性炭を微粉砕して作られており、その平均粒径が５〜１０μｍの範囲にある。活性炭粉末に加工する活性炭は、ヤシガラやおが屑、硬質の木材チップ、木炭、草炭等を原料として作られている。熱可塑性合成樹脂には、フェノール樹脂やアクリル樹脂、オイルカーボン、ポリプロピレン樹脂、ポリエチレン樹脂等を使用することができる。熱可塑性合成樹脂に対する活性炭粉末の混合割合は、熱可塑性合成樹脂１００重量％に対して活性炭粉末８０〜１８０重量％、好ましくは、熱可塑性合成樹脂１００重量％に対して活性炭粉末１００〜１５０重量％である。
【００４２】
脱臭リング１２は、図３に示すように、ハニカム形状（正六角形）に成形された複数の多孔質ハニカム枠１６と、ハニカム枠１６に囲繞された複数の通気孔１７とを有する。脱臭リング１２は、外側フレーム１４（外周縁３５）から内側フレーム１３（内周縁３４）に向かって前後方向後方（扇風機１１の後方）へ凸となるように弧を画き、外側フレーム１４から内側フレーム１３に向かって湾曲している。それらハニカム枠１６は、内側フレーム１３（内周縁３４）と外側フレーム１４（外周縁３５）との間において一連につながっている。ハニカム枠１６は、それらのすべてが同形同大に作られ、通気孔１７は、それらのすべてが同形同大に作られている。
【００４３】
脱臭リング１２では、それら多孔質ハニカム枠１６の一辺の長さＬ１が１〜５ｍｍの範囲にあり、ハニカム枠１６に囲繞された通気孔１７の面積Ｓ１が４．４９９〜１１２．４９ｍｍ２の範囲にある。多孔質ハニカム枠１６の一辺の長さＬ１が１ｍｍ未満であって、通気孔１７の面積Ｓ１が４．４９９ｍｍ２未満では、通気孔１７の開口面積が小さく、脱臭リング１２においてハニカム枠１６が密集し、それらハニカム枠１６が通気孔１７を通過する空気の抵抗となり、扇風機１１から所定量の空気をスムーズに送風することができない場合がある。多孔質ハニカム枠１６の一辺の長さＬ１が５ｍｍを超過するとともに、通気孔１７の面積Ｓ１が１１２．４９ｍｍ２を超過すると、通気孔１７の開口面積が必要以上に大きくなり、脱臭リング１２に形成されるハニカム枠１６の数が少なく、ハニカム枠１６に十分な量の空気を接触させることができず、脱臭リング１２（ハニカム枠１６）を利用して空気に含まれる臭気成分やたばこ臭、ノネナール臭を取り除くことができない。
【００４４】
脱臭リング１２は、多孔質ハニカム枠１６の一辺の長さＬ１が前記範囲にあり、通気孔１７の面積Ｓ１が前記範囲にあるから、ハニカム枠１６が通気孔１７を通過する空気の抵抗となることはなく、扇風機１１から所定量の空気をスムーズに送風することができるとともに、ハニカム枠１６に十分な量の空気を接触させることができ、空気に含まれる臭気成分やたばこ臭、ノネナール臭を脱臭リング１２（ハニカム枠１６を作る活性炭粉末の集合物）に確実に吸着させることができる。
【００４５】
脱臭リング１２では、それら、多孔質ハニカム枠１６の前後方向の厚み寸法Ｍ１が１〜５ｍｍの範囲にある。多孔質ハニカム枠１６の厚み寸法Ｍ１が１ｍｍ未満では、ハニカム枠１６の厚みが薄く、ハニカム枠１６の比表面積を大きくすることができず、ハニカム枠１６に接触する空気の量が少なくなり、脱臭リング１２（多孔質ハニカム枠１６）を利用して空気に含まれる臭気成分やたばこ臭、ノネナール臭を取り除くことができない。多孔質ハニカム枠１６の厚み寸法Ｍ１が５ｍｍを超過すると、ハニカム枠１６の厚み寸法Ｍ１が必要以上に厚くなり、ハニカム枠１６が通気孔１７を通過する空気の抵抗となり、扇風機１１から所定量の空気をスムーズに送風することができない場合がある。
【００４６】
脱臭リング１２は、多孔質ハニカム枠１６の厚み寸法Ｍ１が前記範囲にあるから、ハニカム枠１６が通気孔１７を通過する空気の抵抗となることはなく、扇風機１１から所定量の空気をスムーズに送風することができるとともに、ハニカム枠１６に十分な量の空気を接触させることができ、空気に含まれる臭気成分やたばこ臭、ノネナール臭を脱臭リング１２（ハニカム枠１６を作る活性炭粉末の集合物）に確実に吸着させることができる。
【００４７】
脱臭リング１２の多孔質ハニカム枠１６のうち、内側フレーム１３の側に延びるハニカム枠１６（内側フレーム１３と外側フレーム１４との間に延びる脱臭リング１２を径方向に二等分した場合は内側フレーム１３の側に延びる脱臭リング１２の内側領域のハニカム枠１６（脱臭リング１２の内側１／２のハニカム枠１６）、内側フレーム１３と外側フレーム１４との間に延びる脱臭リング１２を径方向に三等分した場合は内側フレーム１３の側に延びる脱臭リング１２の最も内側領域のハニカム枠１６（脱臭リング１２の内側１／３のハニカム枠１６））には、臭気成分やたばこ臭、ノネナール臭を酸化分解する脱臭触媒が担持されている。なお、脱臭リング１２のハニカム枠１６に脱臭触媒が担持されていなくてもよい。
【００４８】
臭気成分を酸化分解する脱臭触媒には、銅イオン担持ゼオライトの脱臭触媒、活性二酸化マンガン−銅イオン担持ゼオライトの脱臭触媒、酸化銅（酸化銅または亜酸化銅）−銅イオン担持ゼオライトの脱臭触媒、活性二酸化マンガン−銅イオン担持ゼオライト−銅酸化物（酸化銅または亜酸化銅）の脱臭触媒、酸化ルテニウムを含むルテニウム触媒等の既存のそれらを使用することができる。
【００４９】
銅イオン担持ゼオライトの脱臭触媒の作製手順およびその触媒のハニカム枠１６への担持手順の一例は、以下のとおりである。銅イオン担持ゼオライトに水を加えてそれらを湿式混合した後、その水溶液にシリカゾルを混合して脱臭触媒塗料を作る。次に、その脱臭触媒塗料をハニカム枠１６に塗布した後、脱臭触媒塗料を乾燥させてハニカム枠１６の表面に脱臭触媒の被覆層を形成する。
【００５０】
活性二酸化マンガン−銅イオン担持ゼオライトの脱臭触媒の作製手順およびその触媒のハニカム枠１６への担持手順の一例は、以下のとおりである。活性二酸化マンガンに銅イオン担持ゼオライトを配合し、水を加えてそれらを湿式混合した後、その水溶液にシリカゾルを混合して脱臭触媒塗料を作る。次に、その脱臭触媒塗料をハニカム枠１６に塗布した後、脱臭触媒塗料を乾燥させてハニカム枠１６の表面に脱臭触媒の被覆層を形成する。
【００５１】
酸化銅（酸化銅または亜酸化銅）−銅イオン担持ゼオライトの脱臭触媒の作製手順およびその触媒のハニカム枠１６への担持手順の一例は、以下のとおりである。酸化銅（酸化銅または亜酸化銅）に銅イオン担持ゼオライトを配合し、水を加えてそれらを湿式混合した後、その水溶液にシリカゾルを混合して脱臭触媒塗料を作る。次に、その脱臭触媒塗料をハニカム枠１６に塗布した後、脱臭触媒塗料を乾燥させてハニカム枠１６の表面に脱臭触媒の被覆層を形成する。
【００５２】
活性二酸化マンガン−銅イオン担持ゼオライト−銅酸化物（酸化銅または亜酸化銅）の酸化分解性脱臭触媒の作製手順およびその触媒のハニカム枠１６への担持手順の一例は、以下のとおりである。活性二酸化マンガンに銅イオン担持ゼオライトと酸化銅または亜酸化銅とを配合し、水を加えて湿式混合した後、シリカゾルを加えて混合し、酸化分解性脱臭触媒塗料を作る。次に、その脱臭触媒塗料をハニカム枠１６に塗布した後、脱臭触媒塗料を乾燥させてハニカム枠１６の表面に脱臭触媒の被覆層を形成する。
【００５３】
ルテニウム触媒をハニカム枠１６に担持させるには、三塩化ルテニウム水和物（ＲｕＣｌ3 ・３Ｈ2 Ｏ）の水溶液をハニカム枠１６に塗布した後、その水溶液を乾燥させた後、ハニカム枠１６を約８０℃に加熱し、三塩化ルテニウムを酸化ルテニウムに酸化させる。酸化ルテニウムは、飽和炭化水素やオレフィン、ジオール、アセチレン、芳香環化合物、アルコール、エ−テル、有機硫黄化合物のような有機化合物に対して酸化作用を発揮する。特に、硫化水素やメルカプタン、アルデヒドのような低沸点で酸化分解され易い化合物だけではなく、たばこの煙の臭気成分であるイソプレン、ケトン類、低級有機酸類、フェノール類のように通常は酸化分解され難い有機化合物も酸化分解させることができる。
【００５４】
内側フレーム１３は、脱臭リング１２の内周縁３４に延びている。内側フレーム１３は、金型によって脱臭リング１２と一体成形されている場合、または、脱臭リング１２と別体に作られる場合がある。内側フレーム１３が脱臭リング１２と別体に作られる場合は、内側フレーム１３が熱可塑性合成樹脂（フェノール樹脂、アクリル樹脂、ポリプロピレン樹脂、ポリエチレン樹脂等）から作られ、内側フレーム１３が脱臭リング１２の内周縁３４に融着される。
【００５５】
外側フレーム１４は、脱臭リング１２の外周縁３５に延びている。外側フレーム１４は、金型によって脱臭リング１２と一体成形されている場合、または、脱臭リング１２と別体に作られる場合がある。外側フレーム１４が脱臭リング１２と別体に作られる場合は、外側フレーム１４が熱可塑性合成樹脂（フェノール樹脂、アクリル樹脂、ポリプロピレン樹脂、ポリエチレン樹脂等）から作られ、外側フレーム１４が脱臭リング１２の外周縁３５に融着される。
【００５６】
外側フレーム１４（外周縁３５）の後面１８（外側フレーム１４のガードバー２８に対向する対向面）には、後方羽根ガード２４のガードバー２８に着脱可能に嵌合させる４つの嵌合部１９が作られている。嵌合部１９は、弾性変形可能な熱可塑性合成樹脂から作られ、外側フレーム１４が脱臭リング１２と一体成形されている場合は接着剤によってフレーム１４に固定され、外側フレーム１４が別体の場合は接着剤または融着によってフレーム１４に固定される。それら嵌合部１９は、後方羽根ガード２４のガードバー２８の周面を挟み込むことでガードバー２８に固定される。嵌合部１９は、互いに当接する入口部分２０と、互いに離間する挟持部分２１とを有する。それら嵌合部１９は、外側フレーム１４の周り方向へ９０°離間して並んでいるが、嵌合部１９の数に制限はなく、外側フレーム１４の後面１８に５つ以上の嵌合部１９が作られていてもよい。
【００５７】
図９は、脱臭具１０Ａを扇風機１１に取り付ける手順を説明する図である。扇風機１１に脱臭具１０Ａを取り付けるには、扇風機１１の前方羽根ガード２２のクリップ２３を旋回させて前方羽根ガード２２と後方羽根ガード２４との係合を解除し、扇風機１１から前方羽根ガード２２を取り外すとともに、羽根２５を扇風機１１のモーター軸に固定するスピンナー２６を時計回り方向へ回転させてモーター軸からスピンナー２６を取り外す。次に、モーター軸の前方へ羽根２５を移動させ、羽根２５の軸孔をモーター軸から抜き取って羽根２５をモーター軸から取り外し、脱臭具１０Ａの中央開口１５をモーター軸に挿通しつつ、その中央開口１５を後方羽根ガード２４の中央開口２７に合わせる。さらに、図８に矢印Ｘ１で示すように、外側フレーム１４の後面１８に形成された各嵌合部１９の入口部分２０を後方羽根ガード２４のガードバー２８に押圧する。
【００５８】
嵌合部１９の入口部分２０をガードバー２８に押圧すると、図８に矢印Ｘ２で示すように、それら入口部分２０が弾性変形して互いに離間するように開き、ガードバー２８が入口部分２０を通って挟持部分２１に入る。ガードバー２８が挟持部分２１に入ると、入口部分２０が当接し、挟持部分２１がガードバー２８を挟み込み、嵌合部１９を介して脱臭具１０Ａが後方羽根ガード２４に取り付けられる。逆に、脱臭具１０Ａを後方羽根ガード２４のガードバー２８の前方（ガードバー２８から離間する方向）へ引っ張ると、ガードバー２８が挟持部分２１から入口部分２０に進み、それら入口部分２０が弾性変形して互いに離間するように開き、嵌合部１９がガードバー２８から抜き取られ、脱臭具１０Ａを後方羽根ガード２４から取り外すことができる。
【００５９】
脱臭具１０Ａを後方羽根ガード２４に取り付けた後、羽根２５の軸孔をモーター軸に挿通し、スピンナー２６を反時計回り方向へ回転させてモーター軸にスピンナー２６を螺着し、前方羽根ガード２２のガードリング２９と後方羽根ガード２４のガードリング３０との位置を合わせ、前方羽根ガード２２のクリップ２３を旋回させて前方羽根ガード２２と後方羽根ガード２４とを係合させる。
【００６０】
脱臭具１０Ａが後方羽根ガード２４に取り付けられると、脱臭リング１２が羽根２５と後方羽根ガード２４との間に配置される。後方羽根ガード２４のガードバー２８はモーター軸の側から羽根２５の外周域に向かうにつれて羽根２４に次第に近付くように湾曲している。したがって、外側フレーム１４の嵌合部１９をガードバー２８に嵌合させると、脱臭リング１２のそれら多孔質ハニカム枠１６が後方羽根ガード２５のガードバー２８に沿って位置する。
【００６１】
扇風機１１に脱臭具１０Ａを取り付けた後、扇風機１１のスイッチをＯＮにすると、モーターによってモーター軸が回転するとともに、羽根２５が回転し、空気が後方羽根ガード２４の後方から扇風機１１に進入する。後方羽根ガード２４の後方から扇風機１１に進入した空気は、脱臭リング１２の通気孔１７を通って扇風機１１の前方へ送風される。空気は、脱臭リング１２を通過するときに、脱臭リング１２の各多孔質ハニカム枠１６に接触し、空気に含まれる臭気成分（アンモニア、トリメチルアミンやトリエチルアミン、トリアルアミン等の窒素含有化合物を主成分とした塩基性臭気成分、硫化水素や硫化メチル、二硫化メチル、メチルメルカプタン等の硫黄含有化合物、ホルムアルデヒドやアセトアルデヒド、ブチルアルデヒド、バレルアルデヒド、プロピオンアルデヒド等のアルデヒド類を主成分とした中性臭気成分、ギ酸や酢酸、プロピオン酸、吉草酸等の低級脂肪酸類を主成分とした酸性臭気成分、トルエンやキシレン、ブタノール、メチルイソブチルケトン）やたばこ臭、ノネナール臭がそれらハニカム枠１６に吸着される。なお、脱臭リング１２の内側フレーム１３の側に延びるハニカム枠１６に脱臭触媒が担持されている場合、空気に含まれる臭気成分やたばこ臭、ノネナール臭が脱臭触媒によって酸化分解される。
【００６２】
扇風機用脱臭具１０Ａは、扇風機１１の羽根２５が回転すると、後方羽根ガード２４から扇風機１１に進入した空気が脱臭リング１２の通気孔１７を通って扇風機１１の前方へ送風されるが、空気が脱臭リング１２を通過するときに、空気が脱臭リング１２の各ハニカム枠１６に接触するから、空気に含まれる臭気成分やたばこ臭、ノネナール臭をそれらハニカム枠に吸着させることができ、空気に含まれる臭気成分やたばこ臭、ノネナール臭を脱臭リング１２において確実に取り除くことができる。
【００６３】
扇風機用脱臭具１０Ａは、脱臭リング１２のそれら多孔質ハニカム枠１６が後方羽根ガード２４のガードバー２８に沿って位置することで、脱臭リング１２のそれらハニカム枠１６が後方羽根ガード２４のガードバー２８に並行するから、後方羽根ガード２４から扇風機１１に進入した空気が脱臭リング１２の全域を満遍なく通過し、空気が脱臭リング１２の全域の多孔質ハニカム枠１６に接触し、空気に含まれる臭気成分やたばこ臭、ノネナール臭を脱臭リング１２の全域のそれらハニカム枠１６に吸着させることができ、空気に含まれる臭気成分やたばこ臭、ノネナール臭を脱臭リング１２において確実に取り除くことができる。扇風機用脱臭具１０Ａは、脱臭リング１２によって空気に含まれる臭気成分やたばこ臭、ノネナール臭を除去することができるから、扇風機１１を利用して清浄な空気を作ることができ、扇風機１１による送風と同時に清浄な空気を扇風機１１の前方へ送気することができる。
【００６４】
図１０は、他の一例として示す扇風機用脱臭具１０Ｂの正面図であり、図１１は、扇風機用脱臭具１０Ｂの背面図である。図１２は、扇風機用脱臭具１０Ｂの部分拡大斜視図であり、図１３は、扇風機用脱臭具１０Ｂを設置した扇風機１１の正面図である。図１４は、扇風機用脱臭具１０Ｂを設置した扇風機１１の背面斜視図である。
【００６５】
扇風機用脱臭具１０Ｂは、脱臭具１０Ａと同様に、扇風機１１の後方羽根ガード２４のガードバー２８（後方羽根ガード２４の直前）に着脱可能に取り付けられ、扇風機１１を通過する空気に含まれる臭気の除去に使用される。扇風機用脱臭具１０Ｂは、脱臭リング１２と、脱臭リング１２の内周縁に延びる環状の内側フレーム１３と、脱臭リング１２の外周縁に延びる環状の外側フレーム１４とを備え、扇風機１１の後方羽根ガード２４の円形の中央開口２７よりも大きい円形の中央開口１５を有する。
【００６６】
脱臭リング１２は、内側フレーム１３（内周縁３４）の側に位置する内側脱臭リング１２Ａと、外側フレーム１４（外周縁３５）の側に位置する外側脱臭リング１２Ｂとから形成されている。内側脱臭リング１２Ａと外側脱臭リング１２Ｂとは、それらリング１２Ａ，１２Ｂの間に延びる環状の連結部３１によって連結されている。内側脱臭リング１２Ａや外側脱臭リング１２Ｂ、連結部３１は、活性炭粉末と熱可塑性合成樹脂（バインダー）とから作られている。
【００６７】
内側脱臭リング１２Ａや外側脱臭リング１２Ｂ、連結部３１は、加熱溶融させた熱可塑性合成樹脂に活性炭粉末を混合して混合物を作った後、その混合物を所定の金型（型）に流し込み、樹脂を固化させることから作られている。したがって、内側脱臭リング１２Ａや外側脱臭リング１２Ｂ、連結部３１が一体成形されている。活性炭粉末は、図１の脱臭リング１２に使用するそれと同一である。熱可塑性合成樹脂に対する活性炭粉末の混合割合は、図１の脱臭リング１２のそれと同一である。
【００６８】
内側フレーム１３および外側フレーム１４は、金型によって脱臭リング１２と一体成形されている場合、または、脱臭リング１２と別体に作られる場合がある。内側フレーム１３や外側フレーム１４が脱臭リング１２と別体に作られる場合は、それらフレーム１３，１４が熱可塑性合成樹脂（フェノール樹脂、アクリル樹脂、ポリプロピレン樹脂、ポリエチレン樹脂等）から作られ、内側フレーム１３が脱臭リング１２の内周縁３４に融着され、外側フレーム１４が脱臭リング１２の外周縁３５に融着される。外側フレーム１４の後面１８（外側フレーム１４のガードバー２８に対向する対向面）には、後方羽根ガード２４のガードバー２８に着脱可能に嵌合させる４つの嵌合部１９が作られている。嵌合部１９は、脱臭具１０Ａのそれと同一である（図８参照）。
【００６９】
内側脱臭リング１２Ａは、ハニカム形状（正六角形）に成形された複数の多孔質ハニカム枠１６Ａと、ハニカム枠１６Ａに囲繞された複数の通気孔１７Ａとを有する。内側脱臭リング１２Ａは、連結部３１から内側フレーム１３に向かって前後方向後方（扇風機１１の後方）へ凸となるように弧を画き、連結部３１から内側フレーム１３に向かって湾曲している。それら多孔質ハニカム枠１６Ａは、内側フレーム１３と連結部３１との間において一連につながっている。ハニカム枠１６Ａは、それらのすべてが同形同大に作られ、通気孔１７Ａは、それらのすべてが同形同大に作られている。
【００７０】
外側脱臭リング１２Ｂは、ハニカム形状に成形された複数の多孔質ハニカム枠１６Ｂと、ハニカム枠１６Ｂに囲繞された複数の通気孔１７Ｂとを有する。外側脱臭リング１２Ｂは、外側フレーム１４から連結部３１に向かって前後方向後方（扇風機１１の後方）へ凸となるように弧を画き、外側フレーム１４から連結部３１に向かって湾曲している。したがって、脱臭リング１２は、外側フレーム１４（外周縁３５）から内側フレーム１３（内周縁３４）に向かって前後方向後方（扇風機１１の後方）へ凸となるように弧を画き、外側フレーム１４から内側フレーム１３に向かって湾曲している。それら多孔質ハニカム枠１６Ｂは、連結部３１と外側フレーム１４との間において一連につながっている。ハニカム枠１６Ｂは、それらのすべてが同形同大に作られ、通気孔１７Ｂは、それらのすべてが同形同大に作られている。
【００７１】
この扇風機用脱臭具１０Ｂでは、外側脱臭リング１２Ｂの各多孔質ハニカム枠１６Ｂの大きさが内側脱臭リング１２Ａの各多孔質ハニカム枠１６Ａのそれよりも大きく（外側脱臭リング１２Ｂのハニカム枠１６Ｂの一辺の長さＬ３が内側脱臭リング１２Ａのハニカム枠１６Ａの一辺の長さＬ２よりも大きく）、外側脱臭リング１２Ｂのハニカム枠１６Ｂに囲繞された通気孔１７Ｂの面積Ｓ３が内側脱臭リング１２Ａのハニカム枠１６Ａに囲繞された通気孔１７Ａの面積Ｓ２よりも大きい。さらに、外側脱臭リング１２Ｂの多孔質ハニカム枠１６Ｂの前後方向の厚み寸法Ｍ３が内側脱臭リング１２Ａの多孔質ハニカム枠１６Ａの前後方向の厚み寸法Ｍ２よりも大きい。
【００７２】
扇風機用脱臭具１０Ｂでは、多孔質ハニカム枠１６Ａの大きさが外側脱臭リング１２Ｂのそれよりも小さい内側脱臭リング１２Ａにおいてハニカム枠１６Ａが密に形成される。したがって、内側脱臭リング１２Ａの単位面積当たりに形成される多孔質ハニカム枠１６Ａの数が外側脱臭リング１２Ｂの単位面積当たりに形成される多孔質ハニカム枠１６Ｂのそれよりも多い。
【００７３】
内側脱臭リング１２Ａでは、それら多孔質ハニカム枠１６Ａの一辺の長さＬ２が１〜２．５ｍｍの範囲にあり、ハニカム枠１６Ａに囲繞された通気孔１７Ａの面積Ｓ２が４．４９９〜２８．１２ｍｍ２の範囲にある。外側脱臭リング１２Ｂでは、それら多孔質ハニカム枠１６Ｂの一辺の長さＬ３が２〜５ｍｍの範囲にあり、ハニカム枠１６Ｂに囲繞された通気孔１７Ｂの面積Ｓ３が１７．９９〜１１２．４９ｍｍ２の範囲にある。
【００７４】
内側脱臭リング１２Ａの多孔質ハニカム枠１６Ａの一辺の長さＬ２が１ｍｍ未満であって通気孔１７Ａの面積Ｓ２が４．４９９ｍｍ２未満では、通気孔１７Ａの開口面積が小さく、内側脱臭リング１２Ａにおいてハニカム枠１６Ａが密集し、内側脱臭リング１２Ａのハニカム枠１６Ａが通気孔１７Ａを通過する空気の抵抗となり、扇風機１１から所定量の空気をスムーズに送風することができない場合がある。外側脱臭リング１２Ｂの多孔質ハニカム枠１６Ｂの一辺の長さＬ３が５ｍｍを超過するとともに通気孔１７Ｂの面積Ｓ３が１１２．４９ｍｍ２を超過すると、通気孔１７Ｂの開口面積が必要以上に大きくなり、外側脱臭リング１２Ｂに形成されるハニカム枠１６Ｂの数が少なく、ハニカム枠１６Ｂに十分な量の空気を接触させることができず、脱臭リング１２Ｂ（ハニカム枠１６Ｂ）を利用して空気に含まれる臭気成分やたばこ臭、ノネナール臭を取り除くことができない。
【００７５】
内側脱臭リング１２Ａや外側脱臭リング１２Ｂは、多孔質ハニカム枠１６Ａ，１６Ｂの一辺の長さＬ２，Ｌ３が前記範囲にあり、通気孔１７Ａ，１７Ｂの面積Ｓ２，Ｓ３が前記範囲にあるから、ハニカム枠１６Ａ，１６Ｂが通気孔１７Ａ，１７Ｂを通過する空気の抵抗となることはなく、扇風機１１から所定量の空気をスムーズに送風することができるとともに、ハニカム枠１６Ａ，１６Ｂに十分な量の空気を接触させることができ、空気に含まれる臭気成分やたばこ臭、ノネナール臭を脱臭リング１２（ハニカム枠１６Ａ，１６Ｂを作る活性炭粉末の集合物）に確実に吸着させることができる。
【００７６】
内側脱臭リング１２Ａでは、多孔質ハニカム枠１６Ａの前後方向の厚み寸法Ｍ２が１〜３ｍｍの範囲にある。外側脱臭リング１２Ｂでは、多孔質ハニカム枠１６Ｂの前後方向の厚み寸法Ｍ３が３〜５ｍｍの範囲にある。内側脱臭リング１２Ａのハニカム枠１６Ａの厚み寸法Ｍ２が１ｍｍ未満では、ハニカム枠１６Ａの厚みが薄く、ハニカム枠１６Ａの比表面積を大きくすることができず、ハニカム枠１６Ａに接触する空気の量が少なくなり、脱臭リング１２（ハニカム枠１６Ａ，１６Ｂを作る活性炭粉末の集合物）を利用して空気に含まれる臭気成分やたばこ臭、ノネナール臭を取り除くことができない。外側脱臭リング１２Ｂのハニカム枠１６Ｂの厚み寸法Ｍ３が５ｍｍを超過すると、ハニカム枠１６Ｂの厚み寸法Ｍ３が必要以上に厚くなり、ハニカム枠１６Ｂが通気孔１７Ｂを通過する空気の抵抗となり、扇風機１１から所定量の空気をスムーズに送風することができない場合がある。
【００７７】
内側脱臭リング１２Ａや外側脱臭リング１２Ｂは、多孔質ハニカム枠１６Ａ，１６Ｂの厚み寸法Ｍ２，Ｍ３が前記範囲にあるから、ハニカム枠１６Ａ，１６Ｂが通気孔１７Ａ，１７Ｂを通過する空気の抵抗となることはなく、扇風機１１から所定量の空気をスムーズに送風することができるとともに、ハニカム枠１６Ａ，１６Ｂに十分な量の空気を接触させることができ、空気に含まれる臭気成分やたばこ臭、ノネナール臭を脱臭リング１２（ハニカム枠１６Ａ，１６Ｂを作る活性炭粉末の集合物）に確実に吸着させることができる。
【００７８】
この扇風機用脱臭具１０Ｂでは、内側脱臭リング１２Ａのハニカム枠１６Ａに臭気成分を酸化分解する脱臭触媒が担持されていてもよく、内側脱臭リング１２Ａのハニカム枠１６Ａに脱臭触媒が担持されていなくてもよい。脱臭触媒は、脱臭具１０Ａに使用するそれと同一である。
【００７９】
扇風機１１の後方羽根ガード２４への脱臭具１０Ｂの取り付け手順は、図１の脱臭具１０Ａのそれと同一である。脱臭具１０Ｂが後方羽根ガード２４に取り付けられると、脱臭リング１２（内外側脱臭リング１２Ａ，１２Ｂ）が羽根２５と後方羽根ガード２４との間に配置される。外側フレーム１４の嵌合部１９をガードバー２８に嵌合させると、脱臭リング１２（内外側脱臭リング１２Ａ，１２Ｂ）のそれら多孔質ハニカム枠１６Ａ，１６Ｂが後方羽根ガード２５のガードバー２８に沿って位置する。
【００８０】
後方羽根ガード２４の後方から扇風機１１に進入した空気は、内側脱臭リング１２Ａおよび外側脱臭リング１２Ｂの通気孔１７Ａ，１７Ｂを通って扇風機１１の前方へ送風される。空気は、内側脱臭リング１２Ａや外側脱臭リング１２Ｂを通過するときに、それら脱臭リング１２Ａ，１２Ｂの各多孔質ハニカム枠１６Ａ，１６Ｂに接触し、空気に含まれる臭気成分やたばこ臭、ノネナール臭がそれらハニカム枠１６Ａ，１６Ｂに吸着される。なお、内側脱臭リング１２Ａのハニカム枠１６に脱臭触媒が担持されている場合、空気に含まれる臭気成分やたばこ臭、ノネナール臭が脱臭触媒によって酸化分解される。
【００８１】
扇風機用脱臭具１０Ｂは、扇風機１１の羽根２５の中心域よりも羽根２５の外周域での空気の流れが強くなるが、外側脱臭リング１２Ｂの各多孔質ハニカム枠１６Ｂの大きさを内側脱臭リング１２Ａの各ハニカム枠１６Ａのそれよりも大きくすることで、外側脱臭リング１２Ｂが扇風機１１に進入する空気の障害になることはなく、扇風機１１に空気をスムーズに流入させることができ、空気が脱臭リング１２Ａ，１２Ｂを通過するときに、空気が脱臭リング１２Ａ，１２Ｂの各ハニカム枠１６Ａ，１６Ｂに接触するから、それら脱臭リング１２Ａ，１２Ｂによって臭気成分やたばこ臭、ノネナール臭が除去された清浄な空気を円滑に送風することができる。
【００８２】
扇風機用脱臭具１０Ｂは、外側脱臭リング１２Ｂの各多孔質ハニカム枠１６Ｂに空気を接触させることで、脱臭リング１２Ｂにおいて空気に含まれる臭気成分を取り除くことができる他、各多孔質ハニカム枠１６Ａの大きさが外側脱臭リング１２Ｂのそれよりも小さい内側脱臭リング１２Ａにおいてハニカム枠１６Ａが密に形成され、脱臭リング１２Ａの単位面積当たりにおけるハニカム枠１６Ａの数が多いから、脱臭リング１２Ａに多くの臭気成分やたばこ臭、ノネナール臭を吸着させることができ、空気に含まれる臭気成分やたばこ臭、ノネナール臭を脱臭リング１２Ａ，１２Ｂにおいて確実に取り除くことができる。
【００８３】
扇風機用脱臭具１０Ｂは、外側脱臭リング１２Ｂの各多孔質ハニカム枠１６Ｂの大きさが内側脱臭リング１２Ａの各ハニカム枠１６Ａのそれよりも大きいが、外側脱臭リング１２Ｂのハニカム枠１６Ｂの厚み寸法Ｍ３を内側脱臭リング１２Ａのハニカム枠１６Ａのそれよりも大きくすることで、外側脱臭リング１２Ｂのハニカム枠１６Ｂの比表面積を大きくすることができ、脱臭リング１２Ｂの脱臭機能を向上させることができる。
【００８４】
扇風機用脱臭具１０Ｂは、厚み寸法Ｍ３が大きい外側脱臭リング１２Ｂのハニカム枠１６Ｂや大きさが小さい内側脱臭リング１２Ａのハニカム枠１６Ａに空気を接触させることで、各ハニカム枠１６Ａ，１６Ｂに多くの臭気成分やたばこ臭、ノネナール臭を吸着させることができ、空気に含まれる臭気成分やたばこ臭、ノネナール臭を脱臭リング１２において確実に取り除くことができるとともに、扇風機１１による送風と同時に清浄な空気を扇風機１１の前方へ送気することができる。
【００８５】
図１５は、他の一例として示す扇風機用脱臭具１０Ｃの正面図であり、図１６は、扇風機用脱臭具１０Ｃの背面図である。図１７は、扇風機用脱臭具１０Ｃを設置した扇風機１１の背面斜視図であり、図１８は、扇風機用脱臭具１０Ｃを設置した扇風機１１の側面図である。扇風機用脱臭具１０Ｃは、扇風機１１の後方羽根ガード２４のガードバー２８（後方羽根ガード２４の直後）に着脱可能に取り付けられ、扇風機１１に進入する空気に含まれる臭気の除去に使用される。扇風機用脱臭具１０Ｃは、脱臭リング１２と、脱臭リング１２の内周縁３４に延びる環状の内側フレーム１３と、脱臭リング１２の外周縁３５に延びる環状の外側フレーム１４とを備え、扇風機１１の後方羽根ガード２４の円形の中央開口２７よりも大きい円形の中央開口１５を有する。
【００８６】
脱臭リング１２は、活性炭粉末と熱可塑性合成樹脂（バインダー）とから作られている。脱臭リング１２は、加熱溶融させた熱可塑性合成樹脂に活性炭粉末を混合して混合物を作った後、その混合物を所定の金型（型）に流し込み、樹脂を固化させることから作られている。活性炭粉末は、図１の脱臭リング１２に使用するそれと同一である。熱可塑性合成樹脂に対する活性炭粉末の混合割合は、図１の脱臭リング１２のそれと同一である。
【００８７】
内側フレーム１３および外側フレーム１４は、金型によって脱臭リング１２と一体成形されている場合、または、脱臭リング１２と別体に作られる場合がある。内側フレーム１３や外側フレーム１４が脱臭リング１２と別体に作られる場合は、それらフレーム１３，１４が熱可塑性合成樹脂（フェノール樹脂、アクリル樹脂、ポリプロピレン樹脂、ポリエチレン樹脂等）から作られ、内側フレーム１３が脱臭リング１２の内周縁３４に融着され、外側フレーム１４が脱臭リング１２の外周縁３５に融着される。内側フレーム１３の前面３２（内側フレーム１３のガードバー２８に対向する対向面）には、後方羽根ガード２４のガードバー２８に着脱可能に嵌合させる４つの嵌合部１９が作られている。嵌合部１９は、脱臭具１０Ａのそれと同一である（図８参照）。
【００８８】
脱臭リング１２は、ハニカム形状（正六角形）に成形された複数の多孔質ハニカム枠１６と、ハニカム枠１６に囲繞された複数の通気孔１７とを有する。脱臭リング１２は、外側フレーム１４（外周縁３５）から内側フレーム１３（内周縁３４）に向かって前後方向後方（扇風機１１の後方）へ凸となるように弧を画き、外側フレーム１４から内側フレーム１３に向かって湾曲している。それらハニカム枠１６は、内側フレーム１３と外側フレーム１４との間において一連につながっている。ハニカム枠１６は、それらのすべてが同形同大に作られ、通気孔１７は、それらのすべてが同形同大に作られている。
【００８９】
脱臭リング１２のそれら多孔質ハニカム枠１６の一辺の長さＬ１は、１〜５ｍｍの範囲にあり、ハニカム枠１６に囲繞された通気孔１７の面積Ｓ１は、４．４９９〜１１２．４９ｍｍ２の範囲にある（図３参照）。ハニカム枠１６の一辺の長さＬ１や通気孔１７の面積Ｓ１を前記範囲にする理由は、図１の脱臭リング１２のそれらと同一である。脱臭リング１２は、ハニカム枠１６の一辺の長さＬ１が前記範囲にあり、通気孔１７の面積Ｓ１が前記範囲にあるから、ハニカム枠１６が通気孔１７を通過する空気の抵抗となることはなく、扇風機１１から所定量の空気をスムーズに送風することができるとともに、ハニカム枠１６に十分な量の空気を接触させることができ、空気に含まれる臭気成分を脱臭リング１２（ハニカム枠１６を作る活性炭粉末の集合物）に確実に吸着させることができる。
【００９０】
脱臭リング１２のそれら多孔質ハニカム枠１６の前後方向の厚み寸法Ｍ１は１〜５ｍｍの範囲にある（図４参照）。ハニカム枠１６の厚み寸法Ｍ１を前記範囲にする理由は図１の脱臭リング１２のそれと同一である。脱臭リング１２は、ハニカム枠１６の厚み寸法Ｍ１が前記範囲にあるから、ハニカム枠１６が通気孔１７を通過する空気の抵抗となることはなく、扇風機１１から所定量の空気をスムーズに送風することができるとともに、ハニカム枠１６に十分な量の空気を接触させることができ、空気に含まれる臭気成分を脱臭リング１２（ハニカム枠１６を作る活性炭粉末の集合物）に確実に吸着させることができる。
【００９１】
この扇風機用脱臭具１０Ｃでは、図１の脱臭具１０Ａと同様に、脱臭リング１２の多孔質ハニカム枠１６のうち、内側フレーム１３の側に延びるハニカム枠１６（内側フレーム１３と外側フレーム１４との間に延びる脱臭リング１２を径方向に二等分した場合は内側フレーム１３の側に延びる脱臭リング１２の内側領域のハニカム枠１６（脱臭リング１２の内側１／２のハニカム枠１６）、内側フレーム１３と外側フレーム１４との間に延びる脱臭リング１２を径方向に三等分した場合は内側フレーム１３の側に延びる脱臭リング１２の最も内側領域のハニカム枠１６（脱臭リング１２の内側１／３のハニカム枠１６））に臭気成分を酸化分解する脱臭触媒が担持されていてもよく、脱臭リング１２のハニカム枠１６に脱臭触媒が担持されていなくてもよい。脱臭触媒は、脱臭具１０Ａに使用するそれと同一である。
【００９２】
図１９は、図１５の脱臭具１０Ｃを扇風機１１に取り付ける手順を説明する図である。扇風機１１に脱臭具１０Ｃを取り付ける手順は、以下のとおりである。扇風機１１の前方羽根ガード２２のクリップ２３を旋回させて前方羽根ガード２２と後方羽根ガード２４との係合を解除し、扇風機１１から前方羽根ガード２２を取り外すとともに、羽根２５を扇風機１１のモーター軸に固定するスピンナー２６を時計回り方向へ回転させてモーター軸からスピンナー２６を取り外す。モーター軸の前方へ羽根２５を移動させ、羽根２５の軸孔をモーター軸から抜き取って羽根２５をモーター軸から取り外した後、締め付けリング３３を反時計回り方向へ回転させてその締め付けリング３３をモーターケースの螺子部から取り外すとともに、後方羽根ガード２４をモーターケースの螺子部から抜き取る。
【００９３】
次に、脱臭具１０Ｃの中央開口１５を後方羽根ガード２４の中央開口２７に合わせつつ、脱臭具１０Ｃを後方羽根ガード２４の後方に配置し、内側フレーム１３の前面３２に形成された各嵌合部１９の入口部分２０を後方羽根ガード２４のガードバー２８に押圧する。嵌合部１９の入口部分２０をガードバー２８に押圧すると、それら入口部分２０が弾性変形して互いに離間するように開き、ガードバー２８が入口部分２０を通って挟持部分２１に入る。ガードバー２８が挟持部分２１に入ると、入口部分２０が当接し、挟持部分２１がガードバー２８を挟み込み、嵌合部１９を介して脱臭具１０Ｃが後方羽根ガード２４の後方に取り付けられる。逆に、脱臭具１０Ｃを後方羽根ガード２４のガードバー２８の後方（ガードバー２８から離間する方向）へ引っ張ると、ガードバー２８が挟持部分２１から入口部分２０に進み、それら入口部分２０が弾性変形して互いに離間するように開き、嵌合部１９がガードバー２８から抜き取られ、脱臭具１０Ｃを後方羽根ガード２４から取り外すことができる。
【００９４】
脱臭具１０Ｃを後方羽根ガード２４に取り付けた後、後方羽根ガード２４をモーターケースの螺子部に挿通し、締め付けリング３３を時計回り方向へ回転させてその締め付けリング３３をモーターケースの螺子部に螺着し、締め付けリング３３で後方羽根ガード２４をモーターケースに固定する。次に、羽根２５の軸孔をモーター軸に挿通し、スピンナー２６を反時計回り方向へ回転させてモーター軸にスピンナー２６を螺着し、前方羽根ガード２２のガードリング２９と後方羽根ガード２４のガードリング３０との位置を合わせ、前方羽根ガード２２のクリップ２３を旋回させて前方羽根ガード２２と後方羽根ガード２４とを係合させる。
【００９５】
脱臭具１０Ｃが後方羽根ガード２４に取り付けられると、脱臭リング１２が後方羽根ガード２４の直後に配置される。後方羽根ガード２４のガードバー２８はモーター軸の側から羽根２５の外周域に向かうにつれて羽根２５に次第に近付くように湾曲している。したがって、内側フレーム１３の嵌合部１９を後方羽根ガード２４のガードバー２８に嵌合させると、脱臭リング１２のそれらハニカム枠１６が後方羽根ガード２５のガードバー２８に沿って位置する。
【００９６】
扇風機１１の羽根２５が回転すると、空気が脱臭リング１２の通気孔１７を通って後方羽根ガード２４から扇風機１１に進入し、扇風機１１の前方へ送風される。空気は、脱臭具１０Ｃの脱臭リング１２を通過するときに、脱臭リング１２の各多孔質ハニカム枠１６に接触し、空気に含まれる臭気成分やたばこ臭、ノネナール臭がそれらハニカム枠１６に吸着される。なお、脱臭リング１２の内側フレーム１３の側に延びるハニカム枠１６に脱臭触媒が担持されている場合、空気に含まれる臭気成分やたばこ臭、ノネナール臭が脱臭触媒によって酸化分解される。
【００９７】
扇風機用脱臭具１０Ｃは、扇風機１１の羽根２５が回転すると、空気が脱臭リング１２の通気孔１７を通って後方羽根ガード２４から扇風機１１に進入し、扇風機１１の前方へ送風されるが、空気が脱臭リング１２を通過するときに、空気が脱臭リング１２の各多孔質ハニカム枠１６に接触するから、空気に含まれる臭気成分やたばこ臭、ノネナール臭をそれらハニカム枠１６に吸着させることができ、空気に含まれる臭気成分やたばこ臭、ノネナール臭を脱臭リング１２において確実に取り除くことができる。
【００９８】
扇風機用脱臭具１０Ｃは、脱臭リング１２のそれら多孔質ハニカム枠１６が後方羽根ガード２４のガードバー２８に沿って位置することで、脱臭リング１２のそれらハニカム枠１６が後方羽根ガード２４のガードバー２８に並行するから、空気が脱臭リング１２の全域を満遍なく通過し、空気が脱臭リング１２の全域の多孔質ハニカム枠１６に接触し、空気に含まれる臭気成分やたばこ臭、ノネナール臭を脱臭リング１２の全域のそれらハニカム枠１６に吸着させることができ、空気に含まれる臭気成分やたばこ臭、ノネナール臭を脱臭リング１２において確実に取り除くことができる。扇風機用脱臭具１０Ｃは、脱臭リング１２によって空気に含まれる臭気成分やたばこ臭、ノネナール臭を除去することができるから、扇風機１１を利用して清浄な空気を作ることができ、扇風機１１による送風と同時に清浄な空気を扇風機１１の前方へ送気することができる。
【００９９】
図２０は、他の一例として示す扇風機用脱臭具１０Ｄの正面図であり、図２１は、扇風機用脱臭具１０Ｄの背面図である。図２２は、扇風機用脱臭具１０Ｄの部分拡大斜視図であり、図２３は、扇風機用脱臭具１０Ｄを設置した扇風機１１の正面図である。図２４は、扇風機用脱臭具１０Ｄを設置した扇風機１１の背面斜視図である。
【０１００】
扇風機用脱臭具１０Ｄは、脱臭具１０Ｃと同様に、扇風機１１の後方羽根ガード２４のガードバー２８（後方羽根ガード２４の直後）に着脱可能に取り付けられ、扇風機１１に進入する空気に含まれる臭気の除去に使用される。扇風機用脱臭具１０Ｄは、脱臭リング１２と、脱臭リング１２の内周縁３４に延びる環状の内側フレーム１３と、脱臭リング１２の外周縁３５に延びる環状の外側フレーム１４とを備え、扇風機１１の後方羽根ガード２４の円形の中央開口２７よりも大きい円形の中央開口１５を有する。
【０１０１】
脱臭リング１２は、内側フレーム１３の側に位置する内側脱臭リング１２Ａと、外側フレーム１４の側に位置する外側脱臭リング１２Ｂとから形成されている。内側脱臭リング１２Ａと外側脱臭リング１２Ｂとは、それら脱臭リング１２Ａ，１２Ｂの間に延びる環状の連結部３１によって連結されている。内側脱臭リング１２Ａや外側脱臭リング１２Ｂ、連結部３１は、活性炭粉末と熱可塑性合成樹脂（バインダー）とから作られている。
【０１０２】
内側脱臭リング１２Ａや外側脱臭リング１２Ｂ、連結部３１は、加熱溶融させた熱可塑性合成樹脂に活性炭粉末を混合して混合物を作った後、その混合物を所定の金型（型）に流し込み、樹脂を固化させることから作られている。したがって、内側脱臭リング１２Ａや外側脱臭リング１２Ｂ、連結部３１が一体成形されている。活性炭粉末は、図１の脱臭リング１２に使用するそれと同一である。熱可塑性合成樹脂に対する活性炭粉末の混合割合は、図１の脱臭リング１２のそれと同一である。
【０１０３】
内側フレーム１３および外側フレーム１４は、金型によって脱臭リング１２と一体成形されている場合、または、脱臭リング１２と別体に作られる場合がある。内側フレーム１３や外側フレーム１４が脱臭リング１２と別体に作られる場合は、それらフレーム１３，１４が熱可塑性合成樹脂（フェノール樹脂、アクリル樹脂、ポリプロピレン樹脂、ポリエチレン樹脂等）から作られ、内側フレーム１３が脱臭リング１２の内周縁３４に融着され、外側フレーム１４が脱臭リング１２の外周縁３５に融着される。内側フレーム１３の前面３２（内側フレーム１３のガードバー２８に対向する対向面）には、後方羽根ガード２４のガードバー２８に着脱可能に嵌合させる４つの嵌合部１９が作られている。嵌合部１９は、脱臭具１０Ａのそれと同一である（図８参照）。
【０１０４】
内側脱臭リング１２Ａは、ハニカム形状（正六角形）に成形された複数の多孔質ハニカム枠１６Ａと、ハニカム枠１６Ａに囲繞された複数の通気孔１７Ａとを有する。内側脱臭リング１２Ａは、連結部３１から内側フレーム１３に向かって前後方向後方（扇風機１１の後方）へ凸となるように弧を画き、連結部３１から内側フレーム１３に向かって湾曲している。それらハニカム枠１６Ａは、内側フレーム１３と連結部３１との間において一連につながっている。ハニカム枠１６Ａは、それらのすべてが同形同大に作られ、通気孔１７Ａは、それらのすべてが同形同大に作られている。
【０１０５】
外側脱臭リング１２Ｂは、ハニカム形状に成形された複数の多孔質ハニカム枠１６Ｂと、ハニカム枠１６Ｂに囲繞された複数の通気孔１７Ｂとを有する。外側脱臭リング１２Ｂは、外側フレーム１４から連結部３１に向かって前後方向後方（扇風機１１の後方）へ凸となるように弧を画き、外側フレーム１４から連結部３１に向かって湾曲している。したがって、脱臭リング１２は、外側フレーム１４（外周縁３５）から内側フレーム１３（内周縁３４）に向かって前後方向後方（扇風機１１の後方）へ凸となるように弧を画き、外側フレーム１４から内側フレーム１３に向かって湾曲している。それらハニカム枠１６Ｂは、連結部３１と外側フレーム１４との間において一連につながっている。ハニカム枠１６Ｂは、それらのすべてが同形同大に作られ、通気孔１７Ｂは、それらのすべてが同形同大に作られている。
【０１０６】
この扇風機用脱臭具１０Ｄでは、内側脱臭リング１２Ａの各多孔質ハニカム枠１６Ａの大きさが外側脱臭リング１２Ｂの各ハニカム枠１６Ｂのそれよりも大きく（内側脱臭リング１２Ａのハニカム枠１６Ａの一辺の長さＬ２が外側脱臭リング１２Ｂのハニカム枠１６Ｂの一辺の長さＬ３よりも大きく）、内側脱臭リング１２Ａのハニカム枠１６Ａに囲繞された通気孔１７Ａの面積Ｓ２が外側脱臭リング１２Ｂのハニカム枠１６Ｂに囲繞された通気孔１７Ｂの面積Ｓ３よりも大きい。さらに、内側脱臭リング１２Ａのハニカム枠１６Ａの前後方向の厚み寸法Ｍ２が外側脱臭リング１２Ｂのハニカム枠１６Ｂの前後方向の厚み寸法Ｍ３よりも大きい。
【０１０７】
扇風機用脱臭具１０Ｄでは、多孔質ハニカム枠１６Ｂの大きさが内側脱臭リング１２Ａのそれよりも小さい外側脱臭リング１２Ｂにおいてハニカム枠１６Ｂが密に形成される。したがって、外側脱臭リング１２Ｂの単位面積当たりに形成されるハニカム枠１６Ｂの数が内側脱臭リング１２Ａの単位面積当たりに形成されるハニカム枠１６Ａのそれよりも多い。
【０１０８】
内側脱臭リング１２Ａでは、それら多孔質ハニカム枠１６Ａの一辺の長さＬ２が２〜５ｍｍの範囲にあり、ハニカム枠１６Ａに囲繞された通気孔１７Ａの面積Ｓ２が１７．９９〜１１２．４９ｍｍ２の範囲にある。外側脱臭リング１２Ｂでは、それら多孔質ハニカム枠１６Ｂの一辺の長さＬ３が１〜２．５ｍｍの範囲にあり、ハニカム枠１６Ｂに囲繞された通気孔１７Ｂの面積Ｓ３が４．４９９〜２８．１２ｍｍ２の範囲にある。
【０１０９】
外側脱臭リング１２Ｂの多孔質ハニカム枠１６Ｂの一辺の長さＬ３が１ｍｍ未満であって通気孔１７Ｂの面積Ｓ３が４．４９９ｍｍ２未満では、通気孔１７Ｂの開口面積が小さく、外側脱臭リング１２Ｂにおいてハニカム枠１６Ｂが密集し、外側脱臭リング１２Ｂのハニカム枠１６Ｂが通気孔１７Ｂを通過する空気の抵抗となり、扇風機１１から所定量の空気をスムーズに送風することができない場合がある。内側脱臭リング１２Ａの多孔質ハニカム枠１６Ａの一辺の長さＬ２が５ｍｍを超過するとともに通気孔１７Ａの面積Ｓ２が１１２．４９ｍｍ２を超過すると、通気孔１７Ａの開口面積が必要以上に大きくなり、内側脱臭リング１２Ａに形成されるハニカム枠１６Ａの数が少なく、ハニカム枠１６Ａに十分な量の空気を接触させることができず、脱臭リング１２Ａ（ハニカム枠１６Ａ）を利用して空気に含まれる臭気成分を取り除くことができない。
【０１１０】
内側脱臭リング１２Ａや外側脱臭リング１２Ｂは、多孔質ハニカム枠１６Ａ，１６Ｂの一辺の長さＬ２，Ｌ３が前記範囲にあり、通気孔１７Ａ，１７Ｂの面積Ｓ２，Ｓ３が前記範囲にあるから、ハニカム枠１６Ａ，１６Ｂが通気孔１７Ａ，１７Ｂを通過する空気の抵抗となることはなく、扇風機１１から所定量の空気をスムーズに送風することができるとともに、ハニカム枠１６Ａ，１６Ｂに十分な量の空気を接触させることができ、空気に含まれる臭気成分やたばこ臭、ノネナール臭を脱臭リング１２（ハニカム枠１６Ａ，１６Ｂを作る活性炭粉末の集合物）に確実に吸着させることができる。
【０１１１】
内側脱臭リング１２Ａでは、多孔質ハニカム枠１６Ａの前後方向の厚み寸法Ｍ２が３〜５ｍｍの範囲にある。外側脱臭リング１２Ｂでは、多孔質ハニカム枠１６Ｂの前後方向の厚み寸法Ｍ３が１〜３ｍｍの範囲にある。内側脱臭リング１２Ａのハニカム枠１６Ａの厚み寸法Ｍ２が５ｍｍを超過すると、ハニカム枠１６Ａの厚み寸法Ｍ２が必要以上に厚くなり、ハニカム枠１６Ａが通気孔１７Ａを通過する空気の抵抗となり、扇風機１１から所定量の空気をスムーズに送風することができない。外側脱臭リング１２Ｂのハニカム枠１６Ｂの厚み寸法Ｍ３が１ｍｍ未満では、ハニカム枠１２Ｂの厚みが薄く、ハニカム枠１６Ｂの比表面積を大きくすることができず、ハニカム枠１６Ｂに接触する空気の量が少なく、脱臭リング１２Ｂ（ハニカム枠１６ＢＡ）を利用して空気に含まれる臭気成分やたばこ臭、ノネナール臭を取り除くことができない。
【０１１２】
内側脱臭リング１２Ａや外側脱臭リング１２Ｂは、多孔質ハニカム枠１６Ａ，１６Ｂの厚み寸法Ｍ２，Ｍ３が前記範囲にあるから、ハニカム枠１６Ａ，１６Ｂが通気孔１７Ａ，１７Ｂを通過する空気の抵抗となることはなく、扇風機１１から所定量の空気をスムーズに送風することができるとともに、ハニカム枠１６Ａ，１６Ｂに十分な量の空気を接触させることができ、空気に含まれる臭気成分やたばこ臭、ノネナール臭を脱臭リング１２（ハニカム枠１６Ａ，１６Ｂを作る活性炭粉末の集合物）に確実に吸着させることができる。
【０１１３】
この扇風機用脱臭具１０Ｄでは、内側脱臭リング１２Ａのハニカム枠１６Ａに臭気成分を酸化分解する脱臭触媒が担持されていてもよく、内側脱臭リング１２Ａのハニカム枠１６Ａに脱臭触媒が担持されていなくてもよい。脱臭触媒は、脱臭具１０Ａに使用するそれと同一である。
【０１１４】
扇風機１１の後方羽根ガード２４への脱臭具１０Ｄの取り付け手順は、図１５の脱臭具１０Ｃのそれと同一である。脱臭具１０Ｄが後方羽根ガード２４に取り付けられると、脱臭リング１２（内外側脱臭リング１２Ａ，１２Ｂ）が後方羽根ガード２４の直後に配置される。内側フレーム１３の嵌合部１９をガードバー２８に嵌合させると、脱臭リング１２（内外側脱臭リング１２Ａ，１２Ｂ）のそれらハニカム枠１６Ａ，１６Ｂが後方羽根ガード２５のガードバー２８に沿って位置する。
【０１１５】
扇風機１１の羽根２５が回転すると、空気が内側脱臭リング１２Ａおよび外側脱臭リング１２Ｂの通気孔１７Ａ，１７Ｂを通って後方羽根ガード２４から扇風機１１に進入し、扇風機１１の前方へ送風される。空気は、内側脱臭リング１２Ａや外側脱臭リング１２Ｂを通過するときに、それら脱臭リング１２Ａ，１２Ｂの各多孔質ハニカム枠１６Ａ，１６Ｂに接触し、空気に含まれる臭気成分やたばこ臭、ノネナール臭がそれらハニカム枠１６Ａ，１６Ｂに吸着される。なお、内側脱臭リング１２Ａのハニカム枠１６Ａに脱臭触媒が担持されている場合、空気に含まれる臭気成分やたばこ臭、ノネナール臭が脱臭触媒によって酸化分解される。
【０１１６】
扇風機用脱臭具１０Ｄは、外側脱臭リング１２Ｂの各多孔質ハニカム枠１６Ｂの大きさを内側脱臭リング１２Ａの各ハニカム枠１６Ａのそれよりも小さくすることで、外側脱臭リング１２Ｂにハニカム枠１６Ｂが密に形成されるから、外側脱臭リング１２Ｂの単位面積当たりに形成されるハニカム枠１６Ｂの数を多くすることができ、外側脱臭リング１２Ｂの脱臭機能を向上させることができる。扇風機用脱臭具１０Ｄは、扇風機１１の羽根２５の中心域よりも羽根２５の外周域での空気の流れが強くなり、外周域での空気の流量が多くなり、外側脱臭リング１２Ｂの各ハニカム枠１６Ｂに多量の空気を接触させることができ、それら脱臭リング１２Ａ，１２Ｂによって臭気成分やたばこ臭、ノネナール臭が除去された清浄な多量の空気を円滑に送風することができる。
【０１１７】
扇風機用脱臭具１０Ｄは、内側脱臭リング１２Ａの各多孔質ハニカム枠１６Ａの大きさが外側脱臭リング１２Ｂの各ハニカム枠１６Ｂのそれよりも大きいが、内側脱臭リング１２Ａのハニカム枠１６Ａの厚み寸法Ｍ２を外側脱臭リング１２Ｂのハニカム枠１６Ｂのそれよりも大きくすることで、内側脱臭リング１２Ａのハニカム枠１６Ｂの比表面積を大きくすることができ、内側脱臭リング１２Ａの脱臭機能を向上させることができる。扇風機用脱臭具１０Ｄは、厚み寸法Ｍ２が大きい内側脱臭リング１２Ａに臭気成分やたばこ臭、ノネナール臭を吸着させることができる他、扇風機１１の羽根２５の外周域における強い空気の流れによって多量の空気が外側脱臭リング１２Ｂを通過することで、多孔質ハニカム枠１６Ｂが密に形成された外側脱臭リング１２Ｂに多くの臭気成分やたばこ臭、ノネナール臭を吸着させることができ、空気に含まれる臭気成分やたばこ臭、ノネナール臭を脱臭リング１２Ａ，１２Ｂにおいて確実に取り除くことができる。
【０１１８】
図２５は、他の一例として示す扇風機用脱臭具１０Ｅの斜視図であり、図２６は、扇風機用脱臭具１０Ｅを設置した扇風機１１の側面図である。扇風機用脱臭具１０Ｅは、扇風機１１の後方羽根ガード２４のガードバー２８（後方羽根ガード２４の直前）に着脱可能に取り付けられ、扇風機１１を通過する空気に含まれる臭気の除去に使用される。扇風機用脱臭具１０Ｅは、環状の脱臭リング１２と、脱臭リング１２の内周縁に延びる環状の内側フレーム１３と、脱臭リング１２の外周縁に延びる環状の外側フレーム１４とを備え、扇風機１１の後方羽根ガード２４の円形の中央開口２７よりも大きい円形の中央開口１５を有する。
【０１１９】
内側脱臭リング１２Ａや外側脱臭リング１２Ｂ、連結部３１は、加熱溶融させた熱可塑性合成樹脂に活性炭粉末を混合して混合物を作った後、その混合物を所定の金型（型）に流し込み、樹脂を固化させることから作られている。したがって、内側脱臭リング１２Ａや外側脱臭リング１２Ｂ、連結部３１が一体成形されている。活性炭粉末は、図１の脱臭リング１２に使用するそれと同一である。熱可塑性合成樹脂に対する活性炭粉末の混合割合は、図１の脱臭リング１２のそれと同一である。
【０１２０】
内側フレーム１３および外側フレーム１４は、金型によって脱臭リング１２と一体成形されている場合、または、脱臭リング１２と別体に作られる場合がある。内側フレーム１３や外側フレーム１４が脱臭リング１２と別体に作られる場合は、それらフレーム１３，１４が熱可塑性合成樹脂（フェノール樹脂、アクリル樹脂、ポリプロピレン樹脂、ポリエチレン樹脂等）から作られ、内側フレーム１３が脱臭リング１２の内周縁３４に融着され、外側フレーム１４が脱臭リング１２の外周縁３５に融着される。外側フレーム１４の後面１８（外側フレーム１４のガードバー２８に対向する対向面）には、後方羽根ガード２４のガードバー２８に着脱可能に嵌合させる４つの嵌合部１９が作られている。嵌合部１９は、脱臭具１０Ａのそれと同一である（図８参照）。
【０１２１】
脱臭リング１２は、ハニカム形状（正六角形）に成形された複数の多孔質ハニカム枠１６と、ハニカム枠１６に囲繞された複数の通気孔１７とを有する。それらハニカム枠１６は、内側フレーム１３（内周縁３４）と外側フレーム１４（外周縁３５）との間において一連につながっているとともに、内側フレーム１３から外側フレーム１４に向かって直線状（直状）に連なっている。したがって、脱臭リング１２が湾曲することなく、内外側フレーム１３，１４の間で一直線に延びている。ハニカム枠１６は、それらのすべてが同形同大に作られ、通気孔１７は、それらのすべてが同形同大に作られている。それらハニカム枠１６の一辺の長さＬ１や通気孔１７の面積Ｓ１、それらハニカム枠１６の前後方向の厚み寸法Ｍ１は、図１の脱臭具１０Ａのそれらと同一である。
【０１２２】
なお、扇風機用脱臭具１０Ｂも扇風機用脱臭具１０Ｅと同様に、ハニカム枠１６Ａが内側フレーム１３と連結部３１との間において一連につながるとともに内側フレーム１３から連結部３１に向かって直線状（直状）に連なり、内側脱臭リング１２Ａが湾曲することなく、内側フレーム１３と連結部３１との間で一直線に延びていてもよい。また、ハニカム枠１６Ｂが連結部３１と外側フレーム１４との間において一連につながるとともに連結部３１から外側フレーム１４に向かって直線状（直状）に連なり、外側脱臭リング１２Ｂが湾曲することなく、連結部３１と外側フレーム１４との間で一直線に延びていてもよい。
【０１２３】
扇風機用脱臭具１０Ｅでは、脱臭リング１２のハニカム枠１６のうち、内側フレーム１３の側に延びるハニカム枠１６（内側フレーム１３と外側フレーム１４との間に延びる脱臭リング１２を径方向に二等分した場合は内側フレーム１３の側に延びる脱臭リング１２の内側領域のハニカム枠１６（脱臭リング１２の内側１／２のハニカム枠１６）、内側フレーム１３と外側フレーム１４との間に延びる脱臭リング１２を径方向に三等分した場合は内側フレーム１３の側に延びる脱臭リング１２の最も内側領域のハニカム枠１６（脱臭リング１２の内側１／３のハニカム枠１６））には、臭気成分やたばこ臭、ノネナール臭を酸化分解する脱臭触媒が担持されていてもよく、脱臭触媒が担持されていなくてもよい。
【０１２４】
扇風機１１の後方羽根ガード２４への脱臭具１０Ｅの取り付け手順は、図１の脱臭具１０Ａのそれと同一である。脱臭具１０Ｅが後方羽根ガード２４に取り付けられると、脱臭リング１２が羽根２５と後方羽根ガード２４との間に配置される。後方羽根ガード２４のガードバー２８はモーター軸の側から羽根２５の外周域に向かうにつれて羽根２４に次第に近付くように湾曲している。したがって、外側フレーム１４の嵌合部１９をガードバー２８に嵌合させると、脱臭リング１２のそれらハニカム枠１６が羽根２５の近く（羽根２５の直後）に位置する。
【０１２５】
後方羽根ガード２４の後方から扇風機１１に進入した空気は、脱臭リング１２の通気孔１７を通って扇風機１１の前方へ送風される。空気は、脱臭リング１２を通過するときに、それら脱臭リング１２の各多孔質ハニカム枠１６に接触し、空気に含まれる臭気成分やたばこ臭、ノネナール臭がそれらハニカム枠１６に吸着される。なお、脱臭リング１２のハニカム枠１６に脱臭触媒が担持されている場合、空気に含まれる臭気成分やたばこ臭、ノネナール臭が脱臭触媒によって酸化分解される。扇風機１１の羽根２５の外周域よりも羽根２５の中心域での空気の流れが弱くなり、空気が内側フレーム１３の側に延びる脱臭リング１２をゆっくりと通過する。扇風機用脱臭具１０Ｅでは、脱臭触媒が脱臭リング１２の内側フレーム１３の側に延びるハニカム枠１６に担持されている場合に空気の脱臭触媒への接触時間が長くなり、その脱臭触媒によって臭気成分やたばこ臭、ノネナール臭が確実に酸化分解される。
【０１２６】
扇風機用脱臭具１０Ｅは、脱臭リング１２のそれらハニカム枠１６を扇風機１１の羽根２５の近くに位置させることで、羽根２５の近傍において強くなる空気の流れによって多量の空気が脱臭リング１２を通過し、それによって多量の空気を脱臭リング１２の各ハニカム枠１６に接触させることができ、脱臭リング１２によって臭気成分やたばこ臭、ノネナール臭を取り除いた多量の空気を作ることができる。扇風機用脱臭具１０Ｅは、脱臭リング１２によって空気に含まれる臭気成分やたばこ臭、ノネナール臭を除去することができるから、扇風機１１を利用して清浄な空気を作ることができ、扇風機１１による送風と同時に清浄な空気を扇風機１１の前方へ送気することができる。
【０１２７】
図２７は、他の一例として示す扇風機用脱臭具１０Ｆの斜視図であり、図２８は、扇風機用脱臭具１０Ｆを設置した扇風機１１の側面図である。扇風機用脱臭具１０Ｆは、扇風機１１の後方羽根ガード２４のガードバー２８（後方羽根ガード２４の直後）に着脱可能に取り付けられ、扇風機１１に進入する空気に含まれる臭気の除去に使用される。扇風機用脱臭具１０Ｆは、環状の脱臭リング１２と、脱臭リング１２の内周縁に延びる環状の内側フレーム１３と、脱臭リング１２の外周縁に延びる環状の外側フレーム１４とを備え、扇風機１１の後方羽根ガード２４の円形の中央開口２７よりも大きい円形の中央開口１５を有する。
【０１２８】
内側脱臭リング１２Ａや外側脱臭リング１２Ｂ、連結部３１は、加熱溶融させた熱可塑性合成樹脂に活性炭粉末を混合して混合物を作った後、その混合物を所定の金型（型）に流し込み、樹脂を固化させることから作られている。したがって、内側脱臭リング１２Ａや外側脱臭リング１２Ｂ、連結部３１が一体成形されている。活性炭粉末は、図１の脱臭リング１２に使用するそれと同一である。熱可塑性合成樹脂に対する活性炭粉末の混合割合は、図１の脱臭リング１２のそれと同一である。
【０１２９】
内側フレーム１３および外側フレーム１４は、金型によって脱臭リング１２と一体成形されている場合、または、脱臭リング１２と別体に作られる場合がある。内側フレーム１３や外側フレーム１４が脱臭リング１２と別体に作られる場合は、それらフレーム１３，１４が熱可塑性合成樹脂（フェノール樹脂、アクリル樹脂、ポリプロピレン樹脂、ポリエチレン樹脂等）から作られ、内側フレーム１３が脱臭リング１２の内周縁３４に融着され、外側フレーム１４が脱臭リング１２の外周縁３５に融着される。内側フレーム１３の前面３２（内側フレーム１３のガードバー２８に対向する対向面）には、後方羽根ガード２４のガードバー２８に着脱可能に嵌合させる４つの嵌合部１９が作られている。嵌合部１９は、脱臭具１０Ａのそれと同一である（図８参照）。
【０１３０】
脱臭リング１２は、ハニカム形状（正六角形）に成形された複数の多孔質ハニカム枠１６と、ハニカム枠１６に囲繞された複数の通気孔１７とを有する。それらハニカム枠１６は、内側フレーム１３（内周縁３４）と外側フレーム１４（外周縁３５）との間において一連につながっているとともに、内側フレーム１３から外側フレーム１４に向かって直線状（直状）に連なっている。したがって、脱臭リング１２が湾曲することなく、内外側フレーム１３，１４の間で一直線に延びている。ハニカム枠１６は、それらのすべてが同形同大に作られ、通気孔１７は、それらのすべてが同形同大に作られている。それらハニカム枠１６の一辺の長さＬ１や通気孔１７の面積Ｓ１、それらハニカム枠１６の前後方向の厚み寸法Ｍ１は、図１５の脱臭具１０Ｃのそれらと同一である。
【０１３１】
なお、扇風機用脱臭具１０Ｄも扇風機用脱臭具１０Ｆと同様に、ハニカム枠１６Ａが内側フレーム１３と連結部３１との間において一連につながるとともに内側フレーム１３から連結部３１に向かって直線状（直状）に連なり、内側脱臭リング１２Ａが湾曲することなく、内側フレーム１３と連結部３１との間で一直線に延びていてもよい。また、ハニカム枠１６Ｂが連結部３１と外側フレーム１４との間において一連につながるとともに連結部３１から外側フレーム１４に向かって直線状（直状）に連なり、外側脱臭リング１２Ｂが湾曲することなく、連結部３１と外側フレーム１４との間で一直線に延びていてもよい。
【０１３２】
扇風機用脱臭具１０Ｆでは、脱臭リング１２のハニカム枠１６のうち、内側フレーム１３の側に延びるハニカム枠１６（内側フレーム１３と外側フレーム１４との間に延びる脱臭リング１２を径方向に二等分した場合は内側フレーム１３の側に延びる脱臭リング１２の内側領域のハニカム枠１６（脱臭リング１２の内側１／２のハニカム枠１６）、内側フレーム１３と外側フレーム１４との間に延びる脱臭リング１２を径方向に三等分した場合は内側フレーム１３の側に延びる脱臭リング１２の最も内側領域のハニカム枠１６（脱臭リング１２の内側１／３のハニカム枠１６））には、臭気成分やたばこ臭、ノネナール臭を酸化分解する脱臭触媒が担持されていてもよく、脱臭触媒が担持されていなくてもよい。
【０１３３】
扇風機１１の後方羽根ガード２４への脱臭具１０Ｆの取り付け手順は、図１５の脱臭具１０Ｃのそれと同一である。脱臭具１０Ｆが後方羽根ガード２４に取り付けられると、脱臭リング１２が後方羽根ガード２４の直後に配置される。後方羽根ガード２４のガードバー２８はモーター軸の側から羽根２５の外周域に向かうにつれて羽根２５に次第に近付くように湾曲している。したがって、内側フレーム１３の嵌合部１９を後方羽根ガード２４のガードバー２８に嵌合させると、脱臭リング１２と羽根２５との間に後方羽根ガード２４が位置し、脱臭リング１２のそれらハニカム枠１６が後方羽根ガード２４のガードバー２８から後方へ離間する。
【０１３４】
空気は、脱臭リング１２の通気孔１７を通って後方羽根ガード２４から扇風機１１に進入し、扇風機１１の前方へ送風される。空気は、脱臭具１０Ｆの脱臭リング１２を通過するときに、脱臭リング１２の各多孔質ハニカム枠１６に接触し、空気に含まれる臭気成分やたばこ臭、ノネナール臭がそれらハニカム枠１６に吸着される。なお、脱臭リング１２の内側フレーム１３の側に延びるハニカム枠１６に脱臭触媒が担持されている場合、空気に含まれる臭気成分やたばこ臭、ノネナール臭が脱臭触媒によって酸化分解される。
【０１３５】
扇風機用脱臭具１０Ｆは、扇風機１１の羽根２５が回転すると、空気が脱臭リング１２の通気孔１７を通って後方羽根ガード２４から扇風機１１に進入し、扇風機１１の前方へ送風されるが、空気が脱臭リング１２を通過するときに、空気が脱臭リング１２の各ハニカム枠１６に接触するから、空気に含まれる臭気成分やたばこ臭、ノネナール臭をそれらハニカム枠１６に吸着させることができ、空気に含まれる臭気成分やたばこ臭、ノネナール臭を脱臭リング１２において取り除くことができる。
【０１３６】
扇風機用脱臭具１０Ｆは、脱臭リング１２のそれらハニカム枠１６を後方羽根ガード２４のガードバー２８から後方へ離間させると、羽根２５から離間するにつれて弱くなる空気流によって遅い流速の空気が脱臭リング１２を通過するから、流速の早い空気が脱臭リング１２を通過する場合と比較し、空気を脱臭リング１２の各ハニカム枠１６に長時間接触させることができ、空気に含まれる臭気成分やたばこ臭、ノネナール臭を確実に取り除くことができる。扇風機用脱臭具１０Ｆは、脱臭リング１２によって空気に含まれる臭気成分やたばこ臭、ノネナール臭を除去することができるから、扇風機１１を利用して清浄な空気を作ることができ、扇風機１１による送風と同時に清浄な空気を扇風機１１の前方へ送気することができる。
【符号の説明】
【０１３７】
１０Ａ  扇風機用脱臭具
１０Ｂ  扇風機用脱臭具
１０Ｃ  扇風機用脱臭具
１０Ｄ  扇風機用脱臭具
１０Ｅ  扇風機用脱臭具
１０Ｆ  扇風機用脱臭具
１１    扇風機
１２    脱臭リング
１２Ａ  内側脱臭リング
１２Ｂ  外側脱臭リング
１３    内側フレーム
１４    外側フレーム
１５    中央開口
１６    ハニカム枠
１６Ａ  ハニカム枠
１６Ｂ  ハニカム枠
１７    通気孔
１７Ａ  通気孔
１７Ｂ  通気孔
１８    後面
１９    嵌合部
２０    入口部分
２１    挟持部分
２２    前方羽根ガード
２３    クリップ
２４    後方羽根ガード
２５    羽根
２６    スピンナー
２７    中央開口
２８    ガードバー
２９    ガードリング
３０    ガードリング
３１    連結部
３２    前面
３３    締め付けリング
Ｌ１  長さ寸法
Ｌ２  長さ寸法
Ｌ３  長さ寸法
Ｍ１  厚み寸法
Ｍ２  厚み寸法
Ｍ３  厚み寸法
Ｓ１  面積
Ｓ２  面積
Ｓ３  面積
【図１】
2015019808.tif 000003
【図２】
2015019808.tif 000004
【図３】
2015019808.tif 000005
【図４】
2015019808.tif 000006
【図５】
2015019808.tif 000007
【図６】
2015019808.tif 000008
【図７】
2015019808.tif 000009
【図８】
2015019808.tif 000010
【図９】
2015019808.tif 000011
【図１０】
2015019808.tif 000012
【図１１】
2015019808.tif 000013
【図１２】
2015019808.tif 000014
【図１３】
2015019808.tif 000015
【図１４】
2015019808.tif 000016
【図１５】
2015019808.tif 000017
【図１６】
2015019808.tif 000018
【図１７】
2015019808.tif 000019
【図１８】
2015019808.tif 000020
【図１９】
2015019808.tif 000021
【図２０】
2015019808.tif 000022
【図２１】
2015019808.tif 000023
【図２２】
2015019808.tif 000024
【図２３】
2015019808.tif 000025
【図２４】
2015019808.tif 000026
【図２５】
2015019808.tif 000027
【図２６】
2015019808.tif 000028
【図２７】
2015019808.tif 000029
【図２８】
2015019808.tif 000030